(57)【要約】      （修正有）【課題】送信コードワードのための被変調シンボルを時間周波数送信ストリーム中のより多くのシンボルにまたがって拡散することを可能にする。【解決手段】方法は、符号化送信機が、送信のための１つまたは複数のコードブロックに関する複数のビットを符号化する。符号化送信機は、受信機への送信中で情報を送る準備をしている。また、符号化送信機は、時間周波数送信ストリーム中の２つまたはそれ以上のシンボルにまたがって１つまたは複数のコードブロックの各々の複数のビットをインターリーブする。得られたインターリーブ構造は、各コードブロックのビットが送信ストリームのシンボルまたはサブフレームのより多くにわたって拡散されることを可能にする。さらに、符号化送信機は受信機に時間周波数送信ストリームを送信する。【選択図】図１２Ａ
2020184778.tif 000002
【特許請求の範囲】
【請求項１】
送信機において、送信の１つまたは複数のコードブロックに関する複数のビットを符号化することと、
前記送信機によって、時間周波数送信ストリーム中の２つまたはそれ以上のシンボルにまたがって前記１つまたは複数のコードブロックの各々の前記複数のビットをインターリーブすることと、
前記送信機によって受信機に前記時間周波数送信ストリームを送信することと、
を備える、ワイヤレス通信の方法。
【請求項２】
前記インターリーブすることは、
前記時間周波数送信ストリームのサブフレームの第１の周波数での複数のシンボルの最初のシンボルから前記第１の周波数での前記複数のシンボルの最後のシンボルまで前記１つまたは複数のコードブロックの各々の前記複数のビットを時間的において連続的に構成することと、
前記サブフレームの次の周波数での前記複数のシンボルの前記第１のシンボルから前記サブフレームの前記次の周波数での前記複数のシンボルの前記最後のシンボルまで前記１つまたは複数のコードブロックの各々に関する前記複数のビットの残りのビットを時間において連続的に構成することと、
前記複数のビットのすべてが構成されるまで、前記サブフレームの前記複数の周波数の各々に関して前記複数のシンボルの前記最初のシンボルから前記最後のシンボルまで前記連続的に構成することを続けることと、
を含む、請求項１に記載の方法。
【請求項３】
前記インターリーブすることは、
前記時間周波数送信ストリームのサブフレームの複数のシンボルにまたがって前記１つまたは複数のコードブロックの各々の前記複数のビットを時間および周波数においてインターリーブすることを含み、ここにおいて、前記１つまたは複数のコードブロックの各々の前記複数のビットが、前記サブフレームの前記複数のシンボルのうちの前記２つまたはそれ以上のシンボルにまたがって、および前記サブフレームの複数の周波数の２つまたはそれ以上の周波数にまたがって構成される、
請求項１に記載の方法。
【請求項４】
前記インターリーブすることが、
前記時間周波数送信ストリームの２つまたはそれ以上のサブフレームにまたがって前記１つまたは複数のコードブロックの各々の前記複数のビットをインターリーブすることを含む、請求項１に記載の方法。
【請求項５】
前記時間周波数送信ストリームが、複数のコードブロック送信シーケンスの第１のコードブロック送信シーケンスに従って送信される、請求項１に記載の方法。
【請求項６】
受信機が前記時間周波数送信ストリームを正常に受信することに失敗したことに応答して、前記送信機によって、前記複数のコードブロック送信シーケンスの第２のコードブロック送信シーケンスで前記時間周波数送信ストリームを再送信することをさらに含み、ここにおいて、前記第２のコードブロック送信シーケンスは、前記受信機が前記時間周波数送信ストリームを正常に受信することに失敗した回数に従って前記送信機によって選択される、
請求項５に記載の方法。
【請求項７】
受信機で、送信機から時間周波数送信ストリームを受信することと、
前記受信機によって、前記時間周波数送信ストリーム中の２つまたはそれ以上のシンボルにまたがってインターリーブされた１つまたは複数のコードブロックの各々の複数のビットをデインターリーブすることと、
前記受信機で、前記１つまたは複数のコードブロックの前記複数のビットを前記送信機からの送信に復号することと、
を備える、ワイヤレス通信の方法。
【請求項８】
前記デインターリーブすることは、
前記時間周波数送信ストリームのサブフレームの第１の周波数での複数のシンボルの最初のシンボルから前記第１の周波数での前記複数のシンボルの最後のシンボルまで前記１つまたは複数のコードブロックの各々の前記複数のビットを時間において連続的に選択することと、
前記サブフレームの次の周波数での前記複数のシンボルの前記第１のシンボルから前記サブフレームの前記次の周波数での前記複数のシンボルの前記最後のシンボルまで前記１つまたは複数のコードブロックの各々に関する前記複数のビットの残りのビットを時間において連続的に選択することと、
前記複数のビットのすべてが選択されるまで、前記サブフレームの前記複数の周波数の各々に関して前記複数のシンボルの前記最初のシンボルから前記最後のシンボルまで前記連続的に選択することを続けることと、
を含む、請求項７に記載の方法。
【請求項９】
前記デインターリーブすることは、
前記時間周波数送信ストリームのサブフレームの複数のシンボルにまたがって前記１つまたは複数のコードブロックの各々の前記複数のビットを時間および周波数においてデインターリーブすることを含み、ここにおいて、前記１つまたは複数のコードブロックの各々の前記複数のビットが、前記サブフレームの前記複数のシンボルのうちの前記２つまたはそれ以上にわたるシンボル中から、および前記サブフレームの複数の周波数の２つまたはそれ以上にわたる周波数中から選択される、
請求項７に記載の方法。
【請求項１０】
前記受信機で、前記時間周波数送信ストリーム中の第１のシーケンス中に含まれる送信の複数のコードブロックよりも少ないコードブロックを復号することと、
前記複数のコードブロックよりも少ないコードブロックを復号することに応答して、前記受信機によって前記送信機に否定応答を送信することと、
前記受信機で、前記複数のコードブロックを含む前記送信機からの前記時間周波数送信ストリームの再送信を受信すること、ここにおいて、前記再送信中の前記複数のコードブロックが、前記第１のシーケンスとは異なる第２のシーケンスで構成される、と、
をさらに含む、請求項７に記載の方法。
【請求項１１】
前記受信機で、前記再送信中に含まれる前記複数のコードブロックよりも少ないコードブロックを復号することと、
前記再送信中の前記複数のコードブロックよりも少ないコードブロックを復号することに応答して、および、前記送信中の復号された前記複数のコードブロックの１つまたは複数と、前記再送信中の復号された前記複数のコードブロックの１つまたは複数とが前記複数のコードブロックよりも少ないとき、前記受信機によって前記送信機に別の否定応答を送信することと、
をさらに含む、請求項１０に記載の方法。
【請求項１２】
ワイヤレス通信のために構成された装置であって、
送信機で、送信の１つまたは複数のコードブロックに関する複数のビットを符号化するための手段と、
前記送信機によって、時間周波数送信ストリーム中の２つまたはそれ以上のシンボルにまたがって前記１つまたは複数のコードブロックの各々の前記複数のビットをインターリーブするための手段と、
前記送信機によって受信機に前記時間周波数送信ストリームを送信するための手段と、を備える、装置。
【請求項１３】
インターリーブするための前記手段は、
前記時間周波数送信ストリームのサブフレームの第１の周波数での複数のシンボルの最初のシンボルから前記第１の周波数での前記複数のシンボルの最後のシンボルまで前記１つまたは複数のコードブロックの各々の前記複数のビットを時間において連続的に構成するための手段と、
前記サブフレームの次の周波数での前記複数のシンボルのうちの前記第１のシンボルから前記サブフレームの前記次の周波数での前記複数のシンボルのうちの前記最後のシンボルまで前記１つまたは複数のコードブロックの各々に関する前記複数のビットの残りのビットを時間において連続的に構成するための手段と、
前記複数のビットのすべてが構成されるまで、前記サブフレームの前記複数の周波数の各々に関して前記複数のシンボルの前記最初のシンボルから前記最後のシンボルまで連続的に構成するための前記手段を続けるための手段と、
を含む、請求項１２に記載の装置。
【請求項１４】
インターリーブするための前記手段は、
前記時間周波数送信ストリームのサブフレームの複数のシンボルにまたがって前記１つまたは複数のコードブロックの各々の前記複数のビットを時間および周波数においてインターリーブするための手段を含み、ここにおいて、前記１つまたは複数のコードブロックの各々の前記複数のビットが、前記サブフレームの前記複数のシンボルのうちの前記２つまたはそれ以上のシンボルにまたがって、および前記サブフレームの複数の周波数の２つまたはそれ以上の周波数にまたがって構成される、
請求項１２に記載の装置。
【請求項１５】
インターリーブするための前記手段が、
前記時間周波数送信ストリームの２つまたはそれ以上のサブフレームにまたがって前記１つまたは複数のコードブロックの各々の前記複数のビットをインターリーブするための手段
を含む、請求項１２に記載の装置。
【請求項１６】
前記時間周波数送信ストリームが、複数のコードブロック送信シーケンスの第１のコードブロック送信シーケンスに従って送信される、請求項１２に記載の装置。
【請求項１７】
受信機が前記時間周波数送信ストリームを正常に受信することに失敗したことに応答して、前記送信機によって、前記複数のコードブロック送信シーケンスの第２のコードブロック送信シーケンスで前記時間周波数送信ストリームを再送信するための手段をさらに含み、ここにおいて、前記第２のコードブロック送信シーケンスは、前記受信機が前記時間周波数送信ストリームを正常に受信することに失敗した回数に従って前記送信機によって選択される、
請求項１６に記載の装置。
【請求項１８】
プログラムコードを記録した非一時的コンピュータ可読媒体であって、前記プログラムコードは、
送信機において、送信の１つまたは複数のコードブロックに関する複数のビットを符号化することをコンピュータに行わせるためのプログラムコードと、
前記送信機によって、時間周波数送信ストリーム中の２つまたはそれ以上のシンボルにまたがって前記１つまたは複数のコードブロックの各々の前記複数のビットをインターリーブすることを前記コンピュータに行わせるためのプログラムコードと、
前記送信機によって受信機に前記時間周波数送信ストリームを送信することを前記コンピュータに行わせるためのプログラムコードと、
を備える、非一時的コンピュータ可読媒体。
【請求項１９】
インターリーブすることを前記コンピュータに行わせるための前記プログラムコードは、
前記時間周波数送信ストリームのサブフレームの第１の周波数での複数のシンボルの最初のシンボルから前記第１の周波数での前記複数のシンボルの最後のシンボルまで前記１つまたは複数のコードブロックの各々の前記複数のビットを時間において連続的に構成することを前記コンピュータに行わせるためのプログラムコードと、
前記サブフレームの次の周波数での前記複数のシンボルの前記第１のシンボルから前記サブフレームの前記次の周波数での前記複数のシンボルの前記最後のシンボルまで前記１つまたは複数のコードブロックの各々に関する前記複数のビットの残りのビットを時間において連続的に構成することを前記コンピュータに行わせるためのプログラムコードと、  前記複数のビットのすべてが構成されるまで、前記サブフレームの前記複数の周波数の各々に関して前記複数のシンボルの前記最初のシンボルから前記最後のシンボルまで連続的に構成することを前記コンピュータに行わせるための前記プログラムコードを実行することを前記コンピュータに続けさせるためのプログラムコードと、
を含む、請求項１８に記載の非一時的コンピュータ可読媒体。
【請求項２０】
インターリーブすることを前記コンピュータに行わせるための前記プログラムコードは、
前記時間周波数送信ストリームのサブフレームの複数のシンボルにまたがって前記１つまたは複数のコードブロックの各々の前記複数のビットを時間および周波数においてインターリーブすることを前記コンピュータに行わせるためのプログラムコードを含み、ここにおいて、前記１つまたは複数のコードブロックの各々の前記複数のビットが、前記サブフレームの前記複数のシンボルの前記２つまたはそれ以上のシンボルにまたがって、および前記サブフレームの複数の周波数の２つまたはそれ以上の周波数にわたって構成される、
請求項１８に記載の非一時的コンピュータ可読媒体。
【請求項２１】
インターリーブすることを前記コンピュータに行わせるための前記プログラムコードが、
前記時間周波数送信ストリームの２つまたはそれ以上のサブフレームにまたがって前記１つまたは複数のコードブロックの各々の前記複数のビットをインターリーブすることを前記コンピュータに行わせるためのプログラムコード
を含む、請求項１８に記載の非一時的コンピュータ可読媒体。
【請求項２２】
前記時間周波数送信ストリームが、複数のコードブロック送信シーケンスの第１のコードブロック送信シーケンスに従って送信される、請求項１８に記載の非一時的コンピュータ可読媒体。
【請求項２３】
受信機が前記時間周波数送信ストリームを正常に受信することに失敗したことに応答して、前記送信機によって、前記複数のコードブロック送信シーケンスの第２のコードブロック送信シーケンスで前記時間周波数送信ストリームを再送信することを前記コンピュータに行わせるためのプログラムコードをさらに含み、ここにおいて、前記第２のコードブロック送信シーケンスは、前記受信機が前記時間周波数送信ストリームを正常に受信することに失敗した回数に従って前記送信機によって選択される、
請求項２２に記載の非一時的コンピュータ可読媒体。
【発明の詳細な説明】
【技術分野】
【０００１】
関連出願の相互参照
[0001]本出願は、その全体が参照により本明細書に明確に組み込まれる、２０１３年８月３０日に出願された「RESOURCE MAPPING TO HANDLE BURSTY INTERFERENCE」と題する米国仮特許出願第６１／８７２，５００号、および２０１４年８月２８日に出願された「RESOURCE MAPPING TO HANDLE BURSTY INTERFERENCE」と題する米国実用特許出願第１４／４７１，１３８号の利益を主張する。
【０００２】
[0002]本開示の態様は、一般にワイヤレス通信システムに関し、より詳細には、無認可スペクトルを用いるロングタームエボリューション（ＬＴＥ（登録商標）：long term evolution）／ＬＴＥアドバンスト（ＬＴＥ−Ａ：LTE-Advanced）通信システムにおけるバースト干渉を扱うためのリソースマッピングに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続（multiple-access）ネットワークであり得る。通常、多元接続ネットワークである、そのようなネットワークは、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、および／またはＵＥからアップリンク上でデータおよび制御情報を受信し得る。ダウンリンク上では、基地局からの送信は、隣接する基地局からの送信、または他のワイヤレス無線周波数（ＲＦ）送信機からの送信による干渉に遭遇することがある。アップリンク上では、ＵＥからの送信は、隣接する基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、より多くのＵＥが長距離ワイヤレス通信ネットワークにアクセスし、より多くの短距離ワイヤレスシステムがコミュニティにおいて展開されて、干渉および輻輳ネットワークの可能性が増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
[0007]本開示の一態様では、ワイヤレス通信の方法は、送信機において、送信の１つまたは複数のコードブロックに関する複数のビットを符号化することと、送信機によって、時間周波数送信ストリーム（time-frequency transmission stream）中の２つまたはそれ以上のシンボルにまたがって１つまたは複数のコードブロックの各々の複数のビットをインターリーブすることと、送信機によって受信機に時間周波数送信ストリームを送信することとを含む。
【０００８】
[0008]本開示の追加の態様では、ワイヤレス通信の方法は、受信機において、送信機から時間周波数送信ストリームを受信することと、受信機によって、時間周波数送信ストリーム中の２つまたはそれ以上のシンボルにまたがってインターリーブされた１つまたは複数のコードブロックの各々の複数のビットをデインターリーブすることと、受信機において、１つまたは複数のコードブロックの複数のビットを送信機からの送信に復号することとを含む。
【０００９】
[0009]本開示の追加の態様では、ワイヤレス通信の方法は、送信機において、受信機のための送信の複数のコードブロックを符号化することと、複数のコードブロック送信シーケンスの第１のコードブロック送信シーケンスに従って時間周波数送信ストリームで送信機から受信機に複数のコードブロックを送信することと、受信機が複数のコードブロックを正常に受信することに失敗したことに応答して、送信機によって、複数のコードブロック送信シーケンスの第２のコードブロック送信シーケンスにおいて複数のコードブロックを再送信すること、ここにおいて、第２のコードブロック送信シーケンスは、受信機が複数のコードブロックを正常に受信することに失敗した回数に従って送信機によって選択される、と、を含む。
【００１０】
[0010]本開示の追加の態様では、受信機において、送信機から時間周波数送信ストリームを受信することと、受信機において、時間周波数送信ストリーム中の第１のシーケンス中に含まれる送信の複数のコードブロックよりも少ないコードブロックを復号することと、複数のコードブロックよりも少ないコードブロックを復号することに応答して、受信機によって送信機に否定応答を送信することと、受信機において、複数のコードブロックを含む送信機からの時間周波数送信ストリームの再送信を受信すること、ここにおいて、再送信中の複数のコードブロックが、第１のシーケンスとは異なる第２のシーケンスで構成される、と、を含むワイヤレス通信の方法。
【００１１】
[0011]本開示の追加の態様では、送信機によって、受信機のための送信の１つまたは複数のコードブロックからのビットの第１のセットを使用して固定サイズコンスタレーション（constellation）におけるベースコンスタレーションポイント（base constellation point）を符号化することと、送信機によって、１つまたは複数のコードブロックのビットの第２のセットを使用してベースコンスタレーションポイントの周りの第２の固定サイズコンスタレーションにおける改良ポイント（refinement point）を符号化することと、送信機によって、ベースコンスタレーションポイントおよび改良ポイントのうちの１つまたは複数に基づいて被変調シンボルを生成することと、送信機によって受信機に時間周波数送信ストリーム中で少なくとも被変調シンボルを送信することと、を含むワイヤレス通信の方法。
【００１２】
[0012]本開示の追加の態様では、ワイヤレス通信の方法は、受信機において、送信機から送信の少なくとも１つの被変調シンボルを含む時間周波数送信ストリームを受信することと、受信機によって、固定サイズコンスタレーションを使用して、１つまたは複数のコードブロックのビットの第１のセットによって定義されるベースコンスタレーションポイントを復号することと、受信機によって、少なくとも１つの被変調シンボルからベースコンスタレーションポイントを減ずることと、受信機によって、ベースコンスタレーションポイントの周りの第２の固定サイズコンスタレーションを使用して、１つまたは複数のコードブロックのビットの第２のセットによって定義される改良ポイントを復号することと、受信機によって、ベースコンスタレーションポイントおよび改良ポイントのうちの１つまたは複数に基づいて送信を決定することと、を含む。
【００１３】
[0013]本開示の追加の態様では、ワイヤレス通信のために構成された装置は、送信機において、送信の１つまたは複数のコードブロックに関する複数のビットを符号化するための手段と、送信機によって、時間周波数送信ストリーム中の２つまたはそれ以上のシンボルにまたがって１つまたは複数のコードブロックの各々の複数のビットをインターリーブするための手段と、送信機によって受信機に時間周波数送信ストリームを送信するための手段とを含む。
【００１４】
[0014]本開示の追加の態様では、ワイヤレス通信のために構成された装置は、受信機において、送信機から時間周波数送信ストリームを受信するための手段と、受信機によって、時間周波数送信ストリーム中の２つまたはそれ以上のシンボルにまたがってインターリーブされた１つまたは複数のコードブロックの各々の複数のビットをデインターリーブするための手段と、受信機において、１つまたは複数のコードブロックの複数のビットを送信機からの送信に復号するための手段と、を含む。
【００１５】
[0015]本開示の追加の態様では、ワイヤレス通信のために構成された装置は、送信機において、受信機のための送信の複数のコードブロックを符号化するための手段と、複数のコードブロック送信シーケンスの第１のコードブロック送信シーケンスに従って時間周波数送信ストリーム中で送信機から受信機に複数のコードブロックを送信するための手段と、受信機が複数のコードブロックを正常に受信することに失敗したことに応答して、送信機によって、複数のコードブロック送信シーケンスの第２のコードブロック送信シーケンスにおいて複数のコードブロックを再送信するための手段、ここにおいて、第２のコードブロック送信シーケンスは、受信機が複数のコードブロックを正常に受信することに失敗した回数に従って送信機によって選択される、と、を含む。
【００１６】
[0016]本開示の追加の態様では、受信機において、送信機から時間周波数送信ストリームを受信するための手段と、受信機において、時間周波数送信ストリーム中の第１のシーケンス中に含まれる送信の複数のコードブロックよりも少ないコードブロックを復号するための手段と、複数のコードブロックよりも少ないコードブロックを復号することに応答して、受信機によって送信機に否定応答を送信するための手段と、受信機において、複数のコードブロックを含む送信機からの時間周波数送信ストリームの再送信を受信するための手段、ここにおいて、再送信中の複数のコードブロックが、第１のシーケンスとは異なる第２のシーケンスで構成される、と、を含む、ワイヤレス通信のために構成された装置。
【００１７】
[0017]本開示の追加の態様では、送信機が、受信機のための送信の１つまたは複数のコードブロックからのビットの第１のセットを使用して固定サイズコンスタレーションにおけるベースコンスタレーションポイントを符号化するための手段と、送信機によって、１つまたは複数のコードブロックのビットの第２のセットを使用してベースコンスタレーションポイントの周りの第２の固定サイズコンスタレーションにおける改良ポイントを符号化するための手段と、送信機によって、ベースコンスタレーションポイントおよび改良ポイントのうちの１つまたは複数に基づいて被変調シンボルを生成するための手段と、送信機によって受信機に時間周波数送信ストリーム中で少なくとも被変調シンボルを送信するための手段と、を含む、ワイヤレス通信のために構成された装置。
【００１８】
[0018]本開示の追加の態様では、ワイヤレス通信のために構成された装置は、受信機において、送信機から送信の少なくとも１つの被変調シンボルを含む時間周波数送信ストリームを受信するための手段と、受信機によって、固定サイズコンスタレーションを使用して、１つまたは複数のコードブロックのビットの第１のセットによって定義されるベースコンスタレーションポイントを復号するための手段と、受信機によって、少なくとも１つの被変調シンボルからベースコンスタレーションポイントを減ずるための手段と、受信機によって、ベースコンスタレーションポイントの周りの第２の固定サイズコンスタレーションを使用して、１つまたは複数のコードブロックのビットの第２のセットによって定義される改良ポイントを復号するための手段と、受信機によって、ベースコンスタレーションポイントおよび改良ポイントのうちの１つまたは複数に基づいて送信を決定するための手段と、を含む。
【００１９】
[0019]本開示の追加の態様では、コンピュータ可読媒体が記録されたプログラムコードを有する。このプログラムコードは、送信機において、送信の１つまたは複数のコードブロックに関する複数のビットを符号化するためのコードと、送信機によって、時間周波数送信ストリーム中の２つまたはそれ以上のシンボルにまたがって１つまたは複数のコードブロックの各々の複数のビットをインターリーブするためのコードと、送信機によって受信機に時間周波数送信ストリームを送信するためのコードと、を含む。
【００２０】
[0020]本開示の追加の態様では、コンピュータ可読媒体が記録されたプログラムコードを有する。このプログラムコードは、受信機において、送信機から時間周波数送信ストリームを受信するためのコードと、受信機によって、時間周波数送信ストリーム中の２つまたはそれ以上のシンボルにまたがってインターリーブされた１つまたは複数のコードブロックの各々の複数のビットをデインターリーブするためのコードと、受信機において、１つまたは複数のコードブロックの複数のビットを送信機からの送信に復号するためのコードと、を含む。
【００２１】
[0021]本開示の追加の態様では、コンピュータ可読媒体が記録されたプログラムコードを有する。このプログラムコードは、送信機において、受信機のための送信の複数のコードブロックを符号化するためのコードと、複数のコードブロック送信シーケンスの第１のコードブロック送信シーケンスに従って時間周波数送信ストリームで送信機から受信機に複数のコードブロックを送信するためのコードと、受信機が複数のコードブロックを正常に受信することに失敗したことに応答して、送信機によって、複数のコードブロック送信シーケンスの第２のコードブロック送信シーケンスにおいて複数のコードブロックを再送信するためのコード、ここにおいて、第２のコードブロック送信シーケンスは、受信機が複数のコードブロックを正常に受信することに失敗した回数に従って送信機によって選択される、と、を含む。
【００２２】
[0022]本開示の追加の態様では、コンピュータ可読媒体が記録されたプログラムコードを有する。このプログラムコードは、受信機において、送信機から時間周波数送信ストリームを受信するためのコードと、受信機において、時間周波数送信ストリーム中の第１のシーケンス中に含まれる送信の複数のコードブロックよりも少ないコードブロックを復号するためのコードと、複数のコードブロックよりも少ないコードブロックを復号することに応答して、受信機によって送信機に否定応答を送信するためのコードと、受信機において、複数のコードブロックを含む送信機からの時間周波数送信ストリームの再送信を受信するためのコード、ここにおいて、再送信中の複数のコードブロックが、第１のシーケンスとは異なる第２のシーケンスで構成される、と、を含む。
【００２３】
[0023]本開示の追加の態様では、コンピュータ可読媒体が記録されたプログラムコードを有する。このプログラムコードは、送信機が、受信機のための送信の１つまたは複数のコードブロックからのビットの第１のセットを使用して固定サイズコンスタレーションにおけるベースコンスタレーションポイントを符号化するためのコードと、送信機によって、１つまたは複数のコードブロックのビットの第２のセットを使用してベースコンスタレーションポイントの周りの第２の固定サイズコンスタレーションにおける改良ポイントを符号化するためのコードと、送信機によって、ベースコンスタレーションポイントおよび改良ポイントのうちの１つまたは複数に基づいて被変調シンボルを生成するためのコードと、送信機によって受信機に時間周波数送信ストリーム中で少なくとも被変調シンボルを送信するためのコードと、を含む。
【００２４】
[0024]本開示の追加の態様では、コンピュータ可読媒体が記録されたプログラムコードを有する。このプログラムコードは、受信機において、送信機から送信の少なくとも１つの被変調シンボルを含む時間周波数送信ストリームを受信するためのコードと、受信機によって、固定サイズコンスタレーションを使用して、１つまたは複数のコードブロックのビットの第１のセットによって定義されるベースコンスタレーションポイントを復号するためのコードと、受信機によって、少なくとも１つの被変調シンボルからベースコンスタレーションポイントを減ずるためのコードと、受信機によって、ベースコンスタレーションポイントの周りの第２の固定サイズコンスタレーションを使用して、１つまたは複数のコードブロックのビットの第２のセットによって定義される改良ポイントを復号するためのコードと、受信機によって、ベースコンスタレーションポイントおよび改良ポイントのうちの１つまたは複数に基づいて送信を決定するためのコードと、を含む。
【００２５】
[0025]本開示の追加の態様では、装置は、少なくとも１つのプロセッサと、プロセッサに結合されたメモリとを含む。プロセッサは、送信機において、送信の１つまたは複数のコードブロックに関する複数のビットを符号化することと、送信機によって、時間周波数送信ストリーム中の２つまたはそれ以上のシンボルにまたがって１つまたは複数のコードブロックの各々の複数のビットをインターリーブすることと、送信機によって受信機に時間周波数送信ストリームを送信することと、を行うように構成される。
【００２６】
[0026]本開示の追加の態様では、装置は、少なくとも１つのプロセッサと、プロセッサに結合されたメモリとを含む。プロセッサは、受信機において、送信機から時間周波数送信ストリームを受信することと、受信機によって、時間周波数送信ストリーム中の２つまたはそれ以上のシンボルにまたがってインターリーブされた１つまたは複数のコードブロックの各々の複数のビットをデインターリーブすることと、受信機において、１つまたは複数のコードブロックの複数のビットを送信機からの送信に復号することと、を行うように構成される。
【００２７】
[0027]本開示の追加の態様では、装置は、少なくとも１つのプロセッサと、プロセッサに結合されたメモリとを含む。プロセッサは、送信機において、受信機のための送信の複数のコードブロックを符号化することと、複数のコードブロック送信シーケンスの第１のコードブロック送信シーケンスに従って時間周波数送信ストリームで送信機から受信機に複数のコードブロックを送信することと、受信機が複数のコードブロックを正常に受信することに失敗したことに応答して、送信機によって、複数のコードブロック送信シーケンスの第２のコードブロック送信シーケンスにおいて複数のコードブロックを再送信すること、ここにおいて、第２のコードブロック送信シーケンスは、受信機が複数のコードブロックを正常に受信することに失敗した回数に従って送信機によって選択される、と、を行うように構成される。
【００２８】
[0028]本開示の追加の態様では、装置は、少なくとも１つのプロセッサと、プロセッサに結合されたメモリとを含む。プロセッサは、受信機において、送信機から時間周波数送信ストリームを受信することと、受信機において、時間周波数送信ストリーム中の第１のシーケンス中に含まれる送信の複数のコードブロックよりも少ないコードブロックを復号することと、複数のコードブロックよりも少ないコードブロックを復号することに応答して、受信機によって送信機に否定応答を送信することと、受信機において、複数のコードブロックを含む送信機からの時間周波数送信ストリームの再送信を受信すること、ここにおいて、再送信中の複数のコードブロックが、第１のシーケンスとは異なる第２のシーケンスで構成される、と、を行うように構成される。
【００２９】
[0029]本開示の追加の態様では、装置は、少なくとも１つのプロセッサと、プロセッサに結合されたメモリとを含む。プロセッサは、送信機によって、受信機のための送信の１つまたは複数のコードブロックからのビットの第１のセットを使用して固定サイズコンスタレーションにおけるベースコンスタレーションポイントを符号化することと、送信機によって、１つまたは複数のコードブロックのビットの第２のセットを使用してベースコンスタレーションポイントの周りの第２の固定サイズコンスタレーションにおける改良ポイントを符号化することと、送信機によって、ベースコンスタレーションポイントおよび改良ポイントのうちの１つまたは複数に基づいて被変調シンボルを生成することと、送信機によって受信機に時間周波数送信ストリーム中で少なくとも被変調シンボルを送信することと、を行うように構成される。
【００３０】
[0030]本開示の追加の態様では、装置は、少なくとも１つのプロセッサと、プロセッサに結合されたメモリとを含む。プロセッサは、受信機において、送信機から送信の少なくとも１つの被変調シンボルを含む時間周波数送信ストリームを受信することと、受信機によって、固定サイズコンスタレーションを使用して、１つまたは複数のコードブロックのビットの第１のセットによって定義されるベースコンスタレーションポイントを復号することと、受信機によって、少なくとも１つの被変調シンボルからベースコンスタレーションポイントを減ずることと、受信機によって、ベースコンスタレーションポイントの周りの第２の固定サイズコンスタレーションを使用して、１つまたは複数のコードブロックのビットの第２のセットによって定義される改良ポイントを復号することと、受信機によって、ベースコンスタレーションポイントおよび改良ポイントのうちの１つまたは複数に基づいて送信を決定することと、を行うように構成される。
【図面の簡単な説明】
【００３１】
【図１】[0031]様々な実施形態による、ワイヤレス通信システムの一例を示す図。
【図２Ａ】[0032]様々な実施形態による、無認可スペクトル中でＬＴＥを使用するための展開シナリオの例を示す図。
【図２Ｂ】[0033]様々な実施形態による、無認可スペクトル中でＬＴＥを使用するための展開シナリオの別の例を示す図。
【図３】[0034]様々な実施形態による、認可および無認可スペクトル中でＬＴＥをコンカレントに使用するときのキャリアアグリゲーションの一例を示す図。
【図４】[0035]本開示の一態様に従って構成された基地局／ｅＮＢおよびＵＥの設計を概念的に示すブロック図。
【図５】[0036]無認可スペクトルを用いるＬＴＥ／ＬＴＥ−Ａ通信システムにおける時間周波数送信サブフレームを示す図。
【図６】[0037]本開示の一態様による、拡散されたＣＢを有する時間周波数送信サブフレームを示す図。
【図７】[0038]本開示の一態様による、拡散されたＣＢを有する時間周波数送信サブフレームを示す図。
【図８】[0039]本開示の一態様に従って構成された時間周波数送信ストリームを示す図。
【図９】[0040]本開示の一態様に従って構成された送信機と受信機との間の通信を示すコールフロー図。
【図１０Ａ】[0041]本開示の一態様に従って構成された、無認可スペクトルを用いるＬＴＥ／ＬＴＥ−Ａ通信システムにおける４ＱＡＭコンスタレーションを使用するレイヤード（layered）コーディングシステムを示すブロック図。
【図１０Ｂ】本開示の一態様に従って構成された、無認可スペクトルを用いるＬＴＥ／ＬＴＥ−Ａ通信システムにおける４ＱＡＭコンスタレーションを使用するレイヤードコーディングシステムを示すブロック図。
【図１０Ｃ】本開示の一態様に従って構成された、無認可スペクトルを用いるＬＴＥ／ＬＴＥ−Ａ通信システムにおける４ＱＡＭコンスタレーションを使用するレイヤードコーディングシステムを示すブロック図。
【図１１】[0042]本開示の一態様に従って構成された、無認可スペクトルを用いるＬＴＥ／ＬＴＥ−Ａ通信システム中のｅＮＢおよびＵＥを示すブロック図。
【図１２Ａ】[0043]本開示の一態様を実装するために実行される例示的なブロックを示すブロック図。
【図１２Ｂ】本開示の一態様を実装するために実行される例示的なブロックを示すブロック図。
【図１３Ａ】[0044]本開示の一態様を実装するために実行される例示的なブロックを示すブロック図。
【図１３Ｂ】本開示の一態様を実装するために実行される例示的なブロックを示すブロック図。
【図１４Ａ】[0045]本開示の一態様を実装するために実行される例示的なブロックを示すブロック図。
【図１４Ｂ】本開示の一態様を実装するために実行される例示的なブロックを示すブロック図。
【発明を実施するための形態】
【００３２】
[0046]添付の図面に関して以下に示す発明を実施するための形態は、様々な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は提示を明快にするためにブロック図の形式で示されることとが当業者には明らかであろう。
【００３３】
[0047]事業者は、これまで、セルラーネットワークにおける輻輳の常に増加するレベルを軽減するために無認可スペクトルを使用するための主要な機構としてＷｉＦｉ（登録商標）を見てきた。しかしながら、無認可スペクトルにおけるＬＴＥ（無認可スペクトルを用いるＬＴＥ／ＬＴＥ−Ａ）に基づくニューキャリアタイプ（ＮＣＴ：new carrier type）はキャリアグレードＷｉＦｉに適合し得、無認可スペクトルを用いるＬＴＥ／ＬＴＥ−ＡがＷｉＦｉの代替になる。無認可スペクトルを用いるＬＴＥ／ＬＴＥ−Ａは、ＬＴＥのコンセプトを活用し得、無認可スペクトル中での効率的な動作を可能にすることと、規制要件を満たすこととのために、ネットワークまたはネットワークデバイスの物理レイヤ（ＰＨＹ）およびメディアアクセス制御（ＭＡＣ）態様にいくつかの変更を導入し得る。無認可スペクトルは、たとえば、６００メガヘルツ（ＭＨｚ）から６ギガヘルツ（ＧＨｚ）までにわたり得る。いくつかのシナリオでは、無認可スペクトルを用いるＬＴＥ／ＬＴＥ−ＡはＷｉＦｉよりも著しく良好に機能し得る。たとえば、全ＷｉＦｉ展開と比較して、または高密度スモールセル展開があるとき、（単一または複数の事業者のための）無認可スペクトルを用いる全ＬＴＥ／ＬＴＥ−Ａ展開は、無認可スペクトルを用いるＬＴＥ／ＬＴＥ−ＡはＷｉＦｉよりも著しく良好に機能し得る。無認可スペクトルを用いるＬＴＥ／ＬＴＥ−Ａは、無認可スペクトルを用いるＬＴＥ／ＬＴＥ−Ａが（単一または複数の事業者のために）ＷｉＦｉと混合されるときなど、他のシナリオにおいてＷｉＦｉよりも良好に機能し得る。
【００３４】
[0048]単一のサービスプロバイダ（ＳＰ）の場合、無認可スペクトル上の無認可スペクトルを用いるＬＴＥ／ＬＴＥ−Ａネットワークは、認可スペクトル上のＬＴＥネットワークと同期しているように構成され得る。しかしながら、複数のＳＰによって所与のチャネル上で展開される無認可スペクトルを用いるＬＴＥ／ＬＴＥ−Ａネットワークは、複数のＳＰにまたがって同期しているように構成され得る。上記の特徴の両方を組み込むための１つの手法は、所与のＳＰのために、無認可スペクトルを用いるＬＴＥ／ＬＴＥ−Ａと、無認可スペクトルを用いないＬＴＥ／ＬＴＥ−Ａとの間で一定のタイミングオフセットを使用することを伴い得る。無認可スペクトルを用いるＬＴＥ／ＬＴＥ−Ａネットワークは、ＳＰの必要に従ってユニキャストおよび／またはマルチキャストサービスを与え得る。その上、無認可スペクトルを用いるＬＴＥ／ＬＴＥ−Ａネットワークは、ＬＴＥセルが、アンカーとして働き、関連するセル情報（たとえば、無線フレームタイミング、共通チャネル構成、システムフレーム番号またはＳＦＮなど）を与える、ブートストラップモードで動作し得る。このモードでは、無認可スペクトルを用いるＬＴＥ／ＬＴＥ−Ａと、無認可スペクトルを用いないＬＴＥ／ＬＴＥ−Ａとの間に緊密な相互作用があり得る。たとえば、ブートストラップモードは、上記で説明した補足ダウンリンク（supplemental downlink）モードとキャリアアグリゲーションモードとをサポートし得る。無認可スペクトルを用いるＬＴＥ／ＬＴＥ−ＡネットワークのＰＨＹ−ＭＡＣレイヤは、無認可スペクトルを用いるＬＴＥ／ＬＴＥ−ＡネットワークがＬＴＥネットワークとは無関係に動作する、スタンドアロンモードで動作し得る。この場合、たとえば、コロケートされたセルとのＲＬＣレベルアグリゲーション、または複数のセルおよび／または基地局にまたがるマルチフローに基づいて、無認可スペクトルを用いるＬＴＥ／ＬＴＥ−Ａと、無認可スペクトルを用いないＬＴＥ／ＬＴＥ−Ａとの間に緩い相互作用があり得る。
【００３５】
[0049]本明細書で説明する技法は、ＬＴＥに限定されず、ＣＤＭＡ、ＴＤＭＡ、ＦＤＭＡ、ＯＦＤＭＡ、ＳＣ−ＦＤＭＡ、および他のシステムなど、様々なワイヤレス通信システムのためにも使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【００３６】
[0050]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００３７】
[0051]最初に図１を参照すると、図はワイヤレス通信システムまたはネットワーク１００の一例を示している。システム１００は、基地局（またはセル）１０５と、通信デバイス１１５と、コアネットワーク１３０とを含む。基地局１０５は、基地局コントローラ（図示せず）の制御下で通信デバイス１１５と通信し得、それは、様々な実施形態ではコアネットワーク１３０または基地局１０５の一部であり得る。基地局１０５は、バックホールリンク１３２を介してコアネットワーク１３０と制御情報および／またはユーザデータを通信し得る。実施形態では、基地局１０５は、ワイヤードまたはワイヤレス通信リンクであり得るバックホールリンク１３４を介して互いと直接または間接的に通信し得る。システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００３８】
[0052]基地局１０５は、１つまたは複数の基地局アンテナを介してデバイス１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ：basic service set）、拡張サービスセット（ＥＳＳ：extended service set）、ノードＢ、ｅノードＢ（ｅＮＢ）、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。システム１００は、異なるタイプの基地局１０５（たとえば、マクロ基地局、マイクロ基地局、および／またはピコ基地局）を含み得る。異なる技術のための重複するカバレージエリアがあり得る。
【００３９】
[0053]いくつかの実施形態では、システム１００は、無認可スペクトルを用いる１つまたは複数のＬＴＥ／ＬＴＥ−Ａ動作モードまたは展開シナリオをサポートするＬＴＥ／ＬＴＥ−Ａネットワークである。他の実施形態では、システム１００は、無認可スペクトルと、無認可スペクトルを用いるＬＴＥ／ＬＴＥ−Ａとは異なるアクセス技術とを使用して、または認可スペクトルと、ＬＴＥ／ＬＴＥ−Ａとは異なるアクセス技術とを使用して、ワイヤレス通信をサポートし得る。発展型ノードＢ（ｅＮＢ：evolved Node B）およびユーザ機器（ＵＥ）という用語は、概して、それぞれ基地局１０５およびデバイス１１５を表すために使用され得る。システム１００は、異なるタイプのｅＮＢがその中で様々な地理的領域にカバレージを与える、無認可スペクトルを用いるまたは用いない異種（Heterogeneous）ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。ピコセル、フェムトセル、および／または他のタイプのセルなどのスモールセルは低電力ノードまたはＬＰＮを含み得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００４０】
[0054]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を通して）直接または間接的に、互いと通信し得る。システム１００は同期動作または非同期動作をサポートし得る。同期動作の場合、ｅＮＢは同様のフレームタイミングおよび／またはゲーティングタイミングを有し得、異なるｅＮＢからの送信は近似的に時間的に整合され得る。非同期動作の場合、ｅＮＢは異なるフレームタイミングおよび／またはゲーティングタイミングを有し得、異なるｅＮＢからの送信は時間的に整合されないことがある。本明細書で説明する技法は、同期動作または非同期動作のいずれかのために使用され得る。
【００４１】
[0055]ＵＥ１１５はシステム１００全体にわたって分散され、各ＵＥは固定またはモバイルであり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００４２】
[0056]システム１００中に示された通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信と呼ばれることもあり、アップリンク送信は逆方向リンク送信と呼ばれることもある。ダウンリンク送信は、認可スペクトル（たとえば、ＬＴＥ）、無認可スペクトル、またはその両方を使用して行われ得る。同様に、アップリンク送信は、認可スペクトル（たとえば、ＬＴＥ）、無認可スペクトル、またはその両方を使用して行われ得る。
【００４３】
[0057]システム１００のいくつかの実施形態では、認可スペクトル中のＬＴＥダウンリンク容量が無認可スペクトルにオフロードされ得る補足ダウンリンク（ＳＤＬ）モードと、ＬＴＥダウンリンク容量とＬＴＥアップリンク容量の両方が認可スペクトルから無認可スペクトルにオフロードされ得るキャリアアグリゲーションモードと、基地局（たとえば、ｅＮＢ）とＵＥとの間のＬＴＥダウンリンクおよびアップリンク通信が無認可スペクトル中で行われ得るスタンドアロンモードとを含む、無認可スペクトルを用いるＬＴＥ／ＬＴＥ−Ａのための様々な展開シナリオがサポートされ得る。基地局１０５ならびにＵＥ１１５は、これらまたは同様の動作モードのうちの１つまたは複数をサポートし得る。無認可スペクトル中のＬＴＥダウンリンク送信のために通信リンク１２５中でＯＦＤＭＡ通信信号が使用され得、無認可スペクトル中のＬＴＥアップリンク送信のために通信リンク１２５中でＳＣ−ＦＤＭＡ通信信号が使用され得る。システム１００などのシステムにおける、無認可スペクトルを用いるＬＴＥ／ＬＴＥ−Ａ展開シナリオまたは動作モードの実装形態に関するさらなる詳細、ならびに無認可スペクトルを用いるＬＴＥ／ＬＴＥ−Ａの動作に関係する他の特徴および機能を、図２Ａ〜図１４Ｂを参照しながら以下で与える。
【００４４】
[0058]次に図２Ａを参照すると、図２００は、無認可スペクトル上での通信をサポートするＬＴＥネットワークのための補足ダウンリンクモードおよびキャリアアグリゲーションモードの例を示している。図２００は図１のシステム１００の部分の一例であり得る。その上、基地局１０５−ａは図１の基地局１０５の一例であり得、ＵＥ１１５−ａは図１のＵＥ１１５の例であり得る。
【００４５】
[0059]図２００における補足ダウンリンクモードの例では、基地局１０５−ａは、ダウンリンク２０５を使用してＵＥ１１５−ａにＯＦＤＭＡ通信信号を送信し得る。ダウンリンク２０５は無認可スペクトル中の周波数Ｆ１に関連する。基地局１０５−ａは、双方向リンク２１０を使用して同じＵＥ１１５−ａにＯＦＤＭＡ通信信号を送信し得、双方向リンク２１０を使用してＵＥ１１５−ａからＳＣ−ＦＤＭＡ通信信号を受信し得る。双方向リンク２１０は認可スペクトル中の周波数Ｆ４に関連する。無認可スペクトル中のダウンリンク２０５と認可スペクトル中の双方向リンク２１０とはコンカレントに動作し得る。ダウンリンク２０５はダウンリンク容量オフロードを基地局１０５−ａに与え得る。いくつかの実施形態では、ダウンリンク２０５は、ユニキャストサービス（たとえば、１つのＵＥにアドレス指定される）サービスのために、またはマルチキャストサービス（たとえば、いくつかのＵＥにアドレス指定される）のために使用され得る。このシナリオは、認可スペクトルを使用し、トラフィックおよび／またはシグナリング輻輳の一部を軽減する必要がある、任意のサービスプロバイダ（たとえば、旧来のモバイルネットワーク事業者またはＭＮＯ）に関して発生し得る。
【００４６】
[0060]図２００におけるキャリアアグリゲーションモードの一例では、基地局１０５−ａは、双方向リンク２１５を使用してＵＥ１１５−ａにＯＦＤＭＡ通信信号を送信し得、双方向リンク２１５を使用して同じＵＥ１１５−ａからＳＣ−ＦＤＭＡ通信信号を受信し得る。双方向リンク２１５は無認可スペクトル中の周波数Ｆ１に関連する。基地局１０５−ａはまた、双方向リンク２２０を使用して同じＵＥ１１５−ａにＯＦＤＭＡ通信信号を送信し得、双方向リンク２２０を使用して同じＵＥ１１５−ａからＳＣ−ＦＤＭＡ通信信号を受信し得る。双方向リンク２２０は認可スペクトル中の周波数Ｆ２に関連する。双方向リンク２１５はダウンリンクおよびアップリンク容量オフロードを基地局１０５−ａに与え得る。上記で説明した補足ダウンリンクのように、このシナリオは、認可スペクトルを使用し、トラフィックおよび／またはシグナリング輻輳の一部を軽減する必要がある、任意のサービスプロバイダ（たとえば、ＭＮＯ）に関して発生し得る。
【００４７】
[0061]図２００におけるキャリアアグリゲーションモードの別の例では、基地局１０５−ａは、双方向リンク２２５を使用してＵＥ１１５−ａにＯＦＤＭＡ通信信号を送信し得、双方向リンク２２５を使用して同じＵＥ１１５−ａからＳＣ−ＦＤＭＡ通信信号を受信し得る。双方向リンク２２５は無認可スペクトル中の周波数Ｆ３に関連する。基地局１０５−ａはまた、双方向リンク２３０を使用して同じＵＥ１１５−ａにＯＦＤＭＡ通信信号を送信し得、双方向リンク２３０を使用して同じＵＥ１１５−ａからＳＣ−ＦＤＭＡ通信信号を受信し得る。双方向リンク２３０は認可スペクトル中の周波数Ｆ２に関連する。双方向リンク２２５はダウンリンクおよびアップリンク容量オフロードを基地局１０５−ａに与え得る。この例および上記で与えた例は説明の目的で提示され、容量オフロードのために、無認可スペクトルを用いるＬＴＥ／ＬＴＥ−Ａと、無認可スペクトルを用いないＬＴＥ／ＬＴＥ−Ａとを組み合わせる他の同様の動作モードまたは展開シナリオがあり得る。
【００４８】
[0062]上記で説明したように、無認可帯域中でＬＴＥ／ＬＴＥ−Ａを使用することによって提供される容量オフロードから恩恵を受け得る一般的なサービスプロバイダは、ＬＴＥスペクトルを用いる旧来のＭＮＯである。これらのサービスプロバイダの場合、動作構成は、認可スペクトル上のＬＴＥ  １次コンポーネントキャリア（ＰＣＣ：primary component carrier）と無認可スペクトル上の２次コンポーネントキャリア（ＳＣＣ：secondary component carrier）とを使用するブートストラップモード（たとえば、補足ダウンリンク、キャリアアグリゲーション）を含み得る。
【００４９】
[0063]補足ダウンリンクモードでは、無認可スペクトルを用いるＬＴＥ／ＬＴＥ−Ａのための制御はＬＴＥアップリンク（たとえば、双方向リンク２１０のアップリンク部分）上でトランスポートされ得る。ダウンリンク容量オフロードを与える理由の１つは、データ需要が大部分はダウンリンク消費によって引き起こされるからである。その上、このモードでは、ＵＥが無認可スペクトル中で送信していないので、規制上の影響がないことがある。ＵＥ上でリッスンビフォアトーク（ＬＢＴ：listen-before-talk）またはキャリア検知多重アクセス（ＣＳＭＡ：carrier sense multiple access）要件を実装する必要はない。しかしながら、ＬＢＴは、たとえば、周期（たとえば、１０ミリ秒ごとの）クリアチャネルアセスメント（ＣＣＡ：clear channel assessment）および／または無線フレーム境界に整合された把持および放棄（grab-and-relinquish）機構を使用することによって、基地局（たとえば、ｅＮＢ）上で実装され得る。
【００５０】
[0064]キャリアアグリゲーションモードでは、ＬＴＥ（たとえば、双方向リンク２１０、２２０、および２３０）においてデータおよび制御が通信され得、無認可スペクトル（たとえば、双方向リンク２１５および２２５）上でデータが通信され得る。無認可スペクトルを用いるＬＴＥ／ＬＴＥ−Ａを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにまたがる異なる対称性を伴うＴＤＤ−ＴＤＤキャリアアグリゲーションに入り得る。
【００５１】
[0065]図２Ｂに、無認可スペクトルを用いるＬＴＥ／ＬＴＥ−Ａのためのスタンドアロンモードの一例を示す図２００−ａを示す。図２００−ａは図１のシステム１００の部分の一例であり得る。その上、基地局１０５−ｂは、図１の基地局１０５および図２Ａの基地局１０５−ａの一例であり得、ＵＥ１１５−ｂは、図１のＵＥ１１５および図２ＡのＵＥ１１５−ａの一例であり得る。
【００５２】
[0066]図２００−ａにおけるスタンドアロンモードの例では、基地局１０５−ｂは、双方向リンク２４０を使用してＵＥ１１５−ｂにＯＦＤＭＡ通信信号を送信し得、双方向リンク２４０を使用してＵＥ１１５−ｂからＳＣ−ＦＤＭＡ通信信号を受信し得る。双方向リンク２４０は、図２Ａに関して上記で説明した無認可スペクトル中の周波数Ｆ３に関連する。スタンドアロンモードは、スタジアム内アクセス（たとえば、ユニキャスト、マルチキャスト）など、非旧来型ワイヤレスアクセスシナリオにおいて使用され得る。この動作モードのための一般的なサービスプロバイダは、スタジアム所有者、ケーブル会社、イベント主催者、ホテル、企業、および認可スペクトルを有しない大企業であり得る。これらのサービスプロバイダの場合、スタンドアロンモードのための動作構成は無認可スペクトル上のＰＣＣを使用し得る。その上、ＬＢＴが基地局とＵＥの両方上で実装され得る。
【００５３】
[0067]次に図３を参照すると、図３００は、様々な実施形態による、認可および無認可スペクトル中でＬＴＥをコンカレントに使用するときのキャリアアグリゲーションの一例を示している。図３００におけるキャリアアグリゲーション方式は、図２Ａに関して上記で説明したハイブリッドＦＤＤ−ＴＤＤキャリアアグリゲーションに対応し得る。このタイプのキャリアアグリゲーションは、図１のシステム１００の少なくとも一部分において使用され得る。その上、このタイプのキャリアアグリゲーションは、それぞれ図１および図２Ａの基地局１０５および１０５−ａにおいて、および／またはそれぞれ図１および図２ＡのＵＥ１１５および１１５−ａにおいて使用され得る。
【００５４】
[0068]この例では、ＦＤＤ（ＦＤＤ−ＬＴＥ）がダウンリンクにおいてＬＴＥに関して実行され得、第１のＴＤＤ（ＴＤＤ１）が、無認可スペクトルを用いるＬＴＥ／ＬＴＥ−Ａに関して実行され得、第２のＴＤＤ（ＴＤＤ２）がＬＴＥに関して実行され得、別のＦＤＤ（ＦＤＤ−ＬＴＥ）がアップリンクにおいてＬＴＥに関して実行され得る。ＴＤＤ１は６：４のＤＬ：ＵＬ比を生じ、ＴＤＤ２についての比は７：３である。時間スケール上で、異なる有効ＤＬ：ＵＬ比は、３：１、１：３、２：２、３：１、２：２、および３：１である。この例は説明の目的で提示され、無認可スペクトルを用いるＬＴＥ／ＬＴＥ−Ａの動作と、無認可スペクトルを用いないＬＴＥ／ＬＴＥ−Ａの動作とを組み合わせる他のキャリアアグリゲーション方式があり得る。
【００５５】
[0069]図４は、基地局／ｅＮＢ１０５およびＵＥ１１５の設計のブロック図を示し、それは、図１中の基地局／ｅＮＢの１つおよび基地局／ｅＮＢ１０５の１つであり得る。ｅＮＢ１０５はアンテナ４３４ａ〜４３４ｔを装備し得、ＵＥ１１５はアンテナ４５２ａ〜４５２ｒを装備し得る。ｅＮＢ１０５において、送信プロセッサ４２０が、データソース４１２からデータを受信し、コントローラ／プロセッサ４４０から制御情報を受信し得る。制御情報は、物理ブロードキャストチャネル（ＰＢＣＨ：physical broadcast channel）、物理制御フォーマットインジケータチャネル（ＰＣＦＩＣＨ：physical control format indicator channel）、物理ハイブリッド自動再送要求インジケータチャネル（ＰＨＩＣＨ：physical hybrid automatic repeat request indicator channel）、物理ダウンリンク制御チャネル（ＰＤＣＣＨ：physical downlink control channel）などのためのものであり得る。データは物理ダウンリンク共有チャネル（ＰＤＳＣＨ：physical downlink shared channel）などのためのものであり得る。送信プロセッサ４２０は、データシンボルおよび制御シンボルを取得するために、それぞれデータおよび制御情報を処理（たとえば、符号化およびシンボルマッピング）し得る。送信プロセッサ４２０はまた、たとえば、１次同期信号（ＰＳＳ：primary synchronization signal）、２次同期信号（ＳＳＳ：secondary synchronization signal）、およびセル固有基準信号のための基準シンボルを生成し得る。送信（ＴＸ）多入力多出力（ＭＩＭＯ）プロセッサ４３０が、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２は、出力サンプルストリームを取得するために、（たとえば、ＯＦＤＭなどのために）それぞれの出力シンボルストリームを処理し得る。各変調器４３２はさらに、ダウンリンク信号を取得するために、出力サンプルストリームを処理（たとえば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００５６】
[0070]ＵＥ１１５において、アンテナ４５２ａ〜４５２ｒが、ｅＮＢ１０５からダウンリンク信号を受信し得、受信された信号をそれぞれ復調器（ＤＥＭＯＤ）４５４ａ〜４５４ｒに与え得る。各復調器４５４は、入力サンプルを取得するために、それぞれの受信された信号を調整（たとえば、フィルタ処理、増幅、ダウンコンバート、およびデジタル化）し得る。各復調器４５４はさらに、受信シンボルを取得するために、（たとえば、ＯＦＤＭなどのために）入力サンプルを処理し得る。ＭＩＭＯ検出器４５６が、すべての復調器４５４ａ〜４５４ｒから受信シンボルを取得し、適用可能な場合は受信シンボルに対してＭＩＭＯ検出を実行し、検出されたシンボルを与え得る。受信プロセッサ４５８が、検出シンボルを処理（たとえば、復調、デインターリーブ、および復号）し、ＵＥ１１５のための復号されたデータをデータシンク４６０に与え、復号された制御情報をコントローラ／プロセッサ４８０に与え得る。
【００５７】
[0071]アップリンク上では、ＵＥ１１５において、送信プロセッサ４６４が、データソース４６２から（たとえば、物理アップリンク共有チャネル（ＰＵＳＣＨ：physical uplink shared channel）のための）データを受信し、処理し得、コントローラ／プロセッサ４８０から（たとえば、物理アップリンク制御チャネル（ＰＵＣＣＨ：physical uplink control channel）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）変調器４５４ａ〜４５４ｒによって処理され、ｅＮＢ１０５に送信され得る。ｅＮＢ１０５において、ＵＥ１１５からのアップリンク信号は、アンテナ４３４によって受信され、復調器４３２によって処理され、適用可能な場合はＭＩＭＯ検出器４３６によって検出され、ＵＥ１１５によって送られた復号されたデータと制御情報とを取得するために、受信プロセッサ４３８によってさらに処理され得る。プロセッサ４３８は、復号されたデータをデータシンク４３９に与え、復号された制御情報をコントローラ／プロセッサ４４０に与え得る。
【００５８】
[0072]コントローラ／プロセッサ４４０および４８０は、それぞれｅＮＢ１０５における動作およびＵＥ１１５における動作を指示し得る。ｅＮＢ１０５におけるコントローラ／プロセッサ４４０ならびに／あるいは他のプロセッサおよびモジュールは、本明細書で説明する技法のための様々なプロセスを実行するか、またはその実行を指示し得る。ＵＥ１１５におけるコントローラ／プロセッサ４８０ならびに／あるいは他のプロセッサおよびモジュールはまた、図１２Ａ〜図１４Ｂに示す機能ブロック、および／または本明細書で説明する技法のための他のプロセスを実行するか、またはその実行を指示し得る。メモリ４４２および４８２は、それぞれｅＮＢ１０５およびＵＥ１１５のためのデータおよびプログラムコードを記憶し得る。スケジューラ４４４は、ダウンリンクおよび／またはアップリンク上でのデータ送信のためにＵＥをスケジューリングし得る。
【００５９】
[0073]無認可スペクトルを用いるＬＴＥ／ＬＴＥ−Ａを使用する通信のためのワイヤレス技術の実装形態では、効率的に、現在のＬＴＥ規格からの変更をできる限り少なくして、無認可帯域上でのＬＴＥ動作に対応するために、様々な適応が望ましいことがある。たとえば、様々なリソースマッピングプロシージャが、ＬＴＥ／ＬＴＥ−Ａ展開における無認可スペクトルを用いるＬＴＥ動作のために適応され得る。
【００６０】
[0074]無認可スペクトルを用いるＬＴＥ／ＬＴＥ−Ａ展開における通信は、無認可帯域中で送信される異なるタイプの信号のために著しいバースト的干渉を経験することがある。たとえば、スケジュールされた通信は、肯定応答（ＡＣＫ）信号などの異なる信号からのバースト的干渉を経験することがある。無認可スペクトル中の制御および管理パケットは、極めて短い持続時間のパケット（たとえば、５０〜１００μｓ）であり、概して、サブフレーム持続時間の１０％未満を構成する。さらに、スケジュールされた通信は、ある事業者がＳＤＬを展開し、別の事業者が、同じチャネル上で無認可スペクトルを用いるキャリアアグリゲーション（ＣＡ）またはスタンドアロン（ＳＡ）ＬＴＥ／ＬＴＥ−Ａ展開を展開するとき、アップリンクＵＥ送信からの干渉を経験することがある。
【００６１】
[0075]標準ＬＴＥ動作では、送信の各トランスポートブロック（ＴＢ）は一般にいくつかのコードブロック（ＣＢ）に分割され、各ＣＢは、ターボコーディングされ、別々にインターリーブされる。ＣＢは長さが４０ビットから６，１４４ビットの間にあり得る。２０ＭＨｚ  ＬＴＥ送信は各ＴＢ中に最高１３個のＣＢを含み得る。符号化の出力からコード化されたＴＢが再アセンブルされ、次いで、４位相シフトキーイング（ＱＰＳＫ：quadrature phase-shift keying）、１６直交振幅変調（１６ＱＡＭ：16-quadrature amplitude modulation）、６４直交振幅変調（６４ＱＡＭ）などの様々な変調方式を使用してビットがシンボルに変調される。ＬＴＥシステムでは、被変調シンボルは、連続的に、最初に、各直交周波数分割多重（ＯＦＤＭ）シンボル上に周波数的に構成され、次いで、時間周波数送信ストリーム中のサブフレームを構成するいくつかのＯＦＤＭシンボルにわたって時間的に構成される。図５は、無認可スペクトルを用いるＬＴＥ／ＬＴＥ−Ａ通信システムにおける時間周波数送信サブフレーム５０を示す図である。コードブロックビットに基づく被変調シンボルは、時間周波数送信サブフレーム５０のシーケンス５００に従って構成される。シーケンス５００は、最初に、単一のＯＦＤＭシンボルにわたって周波数において、次いで、異なるＯＦＤＭシンボルにわたって時間において、連続的に配置されたＣＢ被変調シンボルを示す。ワーストケースでは、ＴＢ中に１３個のＣＢがあり得、ここで、各ＣＢは１つのＯＦＤＭシンボルにおよぶ。しかしながら、平均的なシナリオでは、各ＴＢは５〜６個のＣＢを含み得、各ＣＢは２〜３個のＯＦＤＭシンボルにおよぶ。
【００６２】
[0076]ＴＢが正しく復号された場合、受信機によってＡＣＫビットが送られ、ＴＢは、すべての構成ＣＢが正しく復号された場合にのみ、正しく復号されたと見なされ得る。無認可信号５０１は、短い持続時間の間干渉を引き起こすが、そのシンボルのための周波数の各々上で１つまたは複数のＯＦＤＭシンボル中の送信に影響を及ぼすことがある。したがって、ＣＢ被変調シンボルは、無認可スペクトルを用いるＬＴＥ／ＬＴＥ−Ａ展開において、シンボルにまたがって時間において配置されるまえに、単一のシンボルにわたって周波数において連続的に配置されるので、無認可パケット５０１などの短い無認可スペクトルパケットは、ＴＢ全体の再送信となる、ＣＢのうちの少なくとも１つが間違って復号されることを引き起こし得る。
【００６３】
[0077]短いバースト的な無認可スペクトル信号からの干渉による再送信を低減するために、本開示の様々な態様は、各ＣＢからのビットに基づく被変調シンボルが時間周波数送信グリッドのより大きい部分にわたって分配されることを提供する。そのような各ＣＢからのシンボルが時間周波数送信ストリームのより広い部分にわたって拡散されれば、送信されたＣＢは、部分的に影響を及ぼされるにすぎず、受信機によって正常に復号されるのに十分な冗長性をもち得る。
【００６４】
[0078]図６は、本開示の一態様による、拡散されたＣＢを有する時間周波数送信サブフレーム６０を示す図である。時間周波数送信サブフレーム５０（図５）に示されＬＴＥダウンリンク送信において使用されるように、最初に周波数にわたって、次いで時間にわたって拡散される代わりに、図６に示された本開示の態様は、シーケンス６００でコードブロックのシンボルを拡散し、それは、最初に時間において複数のＯＦＤＭシンボルにまたがって、次いで、同じＯＦＤＭシンボルの周波数にわたってシンボルを拡散する。したがって、無認可パケット５０１が、シーケンス６００で拡散されたコードブロックのシンボルに干渉するとき、無認可パケット５０１は被変調シンボルの一部分に影響を及ぼすにすぎず、ＣＢの復号を可能にするのに十分な冗長性が残り得る。シーケンス６００での拡散は、ＣＢを時間的に拡散し、ＡＣＫ、ＲＴＳ／ＣＴＳパケットなどの極めて短いバーストによる影響を低減する。（今日のＬＴＥ  ＵＬの場合のように）第１に時間、第２に周波数である。これは、ＣＢを時間的に拡散し、ＡＣＫ、ＲＴＳ／ＣＴＳパケットなどの極めて短いバーストによる影響を低減する。
【００６５】
[0079]図７は、本開示の一態様による、拡散されたＣＢを有する時間周波数送信サブフレーム７０を示す図である。図７に示された拡散シーケンスは、時間周波数送信サブフレーム７０のサブフレーム全体にわたって複数のＣＢに基づくシンボルの２次元（２Ｄ）インターリーブを行う。複数のＣＢのための被変調シンボルは、時間と周波数の両方を使用してインターリーブされるが、連続的に配置されない。この２Ｄインターリーブを使用することによって、図７に示された態様は、時間周波数送信サブフレーム７０全体にわたっていくつかのＣＢからのデータを完全に混合する。したがって、無認可パケット５０１が、時間周波数送信サブフレーム７０中で２次元でインターリーブされた被変調シンボルに干渉するとき、同じＣＢからのさらに少ないシンボルしか干渉されず、受信機がＣＢを正常に復号することが可能になり得る。
【００６６】
[0080]図８は、本開示の一態様に従って構成された時間周波数送信ストリーム８０を示す図である。図８に示された拡散シーケンスは、時間周波数送信ストリーム８０のサブフレームにまたがってインターレースされた複数のコードブロックに関する被変調シンボルを与える。サブフレーム０、ＳＦ０、およびサブフレーム１、ＳＦ１は、ＳＦ０およびＳＦ１にまたがって２次元でインターレースされた、コードブロック０、ｃ０と、コードブロック１、ｃ１と、に基づく被変調シンボルを含む。無認可パケット５０１は、スロット１中でＳＦ０に干渉し、スロット０中でＳＦ１に干渉する。各サブフレーム内で２次元においてだけでなく、サブフレームにまたがりインターリーブされる被変調シンボルによって、無認可パケット５０１からの干渉によって影響を及ぼされ得るコードブロックベースの任意のシンボルは、インターリーブされた被変調コードブロックのシンボルを受信機が正常に復号することを可能にするためにＳＦ０およびＳＦ１にまたがって与えられる十分な冗長性をそなえ、最小化されるであろう。
【００６７】
[0081]本開示の追加の態様は、再送信のためのコードブロックレベル再マッピングを可能にすることによって干渉ベースの再送信を低減し得る。図９は、本開示の一態様に従って構成された送信機９００と受信機９０１との間の通信を示すコールフロー図９０である。送信機９００は、受信機９０１としての基地局またはｅＮＢに送信を送るＵＥのための送信機であり得る。他の態様では、基地局またはｅＮＢが、受信機９０１として動作しているＵＥまたはモバイルデバイスのための送信を送る送信機９００として動作し得る。時間９０２において、送信機９００は受信機９０１にコードブロックＣＢ０、ＣＢ１、ＣＢ２、およびＣＢ３を送る。無認可スペクトルバースト的な送信９０３が送信に干渉を与え、これは、時間９０４において、受信機９０１がＮＡＣＫ信号を送信することを引き起こす。ＮＡＣＫに応答して、送信機９００は、受信機９０１にコードブロックＣＢ０、ＣＢ１、ＣＢ２、およびＣＢ３を再送信することを選択する。ただし、図９に示された態様に従って、送信機９００は、送信されたコードブロックの順序を再マッピングする新しいコードブロック送信の構成を選択する。したがって、時間９０５において、送信機９００は、順序ＣＢ３、ＣＢ０、ＣＢ１、およびＣＢ２で送信する、選択されたコードブロック送信の構成においてコードブロックを再送信する。無認可スペクトルバースト的な送信９０３からの干渉は、受信機９０１がコードブロックの各々を正常に受信することに失敗するのに十分な干渉を再び引き起こす。しかしながら、別のＮＡＣＫを送信する前に、受信機９０１は、時間９０２における送信とともに正常に受信されたコードブロック＋時間９０５において正常に受信されたコードブロックが、送信されたコードブロックのすべてを構成するかどうかを識別する。受信機９０１はまだＣＢ０を正常に受信していないので、時間９０６においてＮＡＣＫが送信される。ＮＡＣＫを受信したことに応答して、送信機９００は新しいコードブロック送信の構成を再び選択する。特定の再マッピング構成シーケンスが、ＲＶ（冗長バージョン）に応じて送信機９００によって選択される。たとえば、別のチャネル上のＷＩＦＩリンクを介して、クイックフィードバックが利用可能である場合、送信機は再送信にわたる干渉ダイバーシティを活用し得る。
【００６８】
[0082]時間９０７において、送信機９００は、新しい選択された再マッピングに従ってコードブロックを再送信する。無認可スペクトルバースト的な送信９０３は、時間９０７において依然としてコードブロック送信に干渉する。しかしながら、受信機は、送信機９００からのいずれの単一の送信においてもコードブロックのすべてを正常に受信することが可能でなかったが、受信機は、現在、コードブロックのすべてを正常に受信している。したがって、時間９０８において、受信機９０１は送信機９００にＡＣＫメッセージを送信する。
【００６９】
[0083]図９に示し、本明細書で説明する、コードブロック再送信の再マッピングはまた、図６〜図８に関して説明した様々なインターリーブ技法とともに使用され得ることに留意されたい。送信する際に、異なる再送信の構成によるコードブロックは、図６に示し、それに関して説明したように、被変調シンボルを、送信サブフレーム中で複数のＯＦＤＭシンボルにわたって時間において、次いで周波数においてインターリーブすることによって、送信にコーディングされ得る。再送信されたコードブロックの被変調シンボルはまた、図７に示し、それに関して説明したように、時間および周波数においてサブフレーム全体にまたがって２Ｄインターリーブを使用して送信にコーディングされ得る。代替的に、再送信されたコードブロックの被変調シンボルは、送信ストリームの複数のサブフレームにまたがってインターリーブすることによって送信にコーディングされ得る。本開示の様々な態様は、そのようなコードブロック再送信再マッピングとともに任意の様々なインターリーブを使用し得る。
【００７０】
[0084]本開示の様々な態様はまた、レイヤードコーディングおよび復号を提供し、それは、復号または隣接セルからの干渉を消去することの効率を増加させ得る。レイヤードコーディング構成では、１６ＱＡＭ、６４ＱＡＭなど、より高いレベルの変調が、４ＱＡＭなど、固定のより低いレベルの変調のコンスタレーションポイント選択を連続的に改良することによって生成され得る。図１０Ａ〜図１０Ｃは、本開示の一態様に従って構成された、無認可スペクトルを用いるＬＴＥ／ＬＴＥ−Ａ通信システムにおける４ＱＡＭコンスタレーション１０００を使用するレイヤードコーディングシステムを示すブロック図である。送信機側において、それはＵＥのための送信を準備しているｅＮＢであり得りえ、またはｅＮＢのための送信を準備しているＵＥであり得るが、ビットの第１のセットが、４ＱＡＭコンスタレーション１０００中のポイントを選択するために図１０Ａにおいて使用される。たとえば、第１のコードブロックＣＢ０からの２ビットが、「０１」コンスタレーションポイント、ベースコンスタレーションポイント１００１を選択するために使用され得る。
【００７１】
[0085]図１０Ｂにおいて、ベースコンスタレーションポイント１００１を選択した後に、送信機は、ベースコンスタレーションポイント１００１の周りの第２の４ＱＡＭコンスタレーション１００２中の改良コンスタレーションポイント、改良ポイント１００３を選択するために、第２のコードブロックからのビットの第２のセットを使用する。たとえば、第２のコードブロックＣＢ１からの２ビットが、第２の４ＱＡＭコンスタレーション１００２の「１０」コンスタレーションポイントを改良ポイント１００３として選択するために使用され得る。ＣＢ１からのビットの第２のセットの使用は、第１の４ＱＡＭの選択を１６ＱＡＭ変調レベルと等価なレベルに改良し、したがって、４ＱＡＭコンスタレーションのみが使用されているにもかかわらず、変調の粒度（granularity）を増加させる。
【００７２】
[0086]図１０Ｃにおいて、符号化送信機は、複数のコードブロックからのビットを用いる２つのレイヤード４ＱＡＭコンスタレーションの選択を使用して、変調ポイントを１６ＱＡＭレベルに改良している。１６ＱＡＭ変調で動作する無認可スペクトルを用いるＬＴＥ／ＬＴＥ−Ａ通信システムの場合、送信のこのシンボルについてのコーディングプロセスはここで停止するであろう。追加の態様では、６４ＱＡＭ変調を使用するシステム展開または機器の場合、符号化送信機は、第３の４ＱＡＭコンスタレーション１００４を使用してさらなる改良コンスタレーションポイントを選択するために、別のコードブロックからのビットの第３のセットを使用するであろう。たとえば、符号化送信機は、第２の改良ポイント１００５のために第３の４ＱＡＭコンスタレーション１００４の「０１」コンスタレーションポイントを選択するために、第３のコードブロックＣＢ２からの２ビットを使用するであろう。ＣＢ２からのビットの第３のセットの使用は、レイヤード１６ＱＡＭコンスタレーションポイントをレイヤード６４ＱＡＭコンスタレーションポイントにさらに改良する。
【００７３】
[0087]復号プロセスでは、復号受信機は、現在、レイヤリングを通して得られた改良を考慮して、より低い変調レベルであり得る固定サイズコンスタレーションの使用を常に仮定し得る。さらなる改良されたポイントから復号する代わりに、本開示の様々な態様は、受信機が、改良を雑音として扱い、ベースコンスタレーションポイント１００１などのベースコンスタレーションポイントを最初に復号することを提供する。図１０Ｃを参照すると、復号受信機は、ＣＢ０からのビットによって定義されるベースコンスタレーションポイント１００１を復号するために、４ＱＡＭコンスタレーション１０００を使用する。ＣＢ１およびＣＢ２コードブロックからの改良は雑音として扱われる。ベースコンスタレーションポイント１００１が復号されると、復号受信機は、受信された信号からＣＢ０に対応する信号を減ずる。
【００７４】
[0088]復号された信号を減算した後に、残りの受信された信号は再び４ＱＡＭコンスタレーションのように見える。復号受信機は、次いで、ＣＢ１のビットによって定義される改良ポイント１００３を復号する。ＣＢ１からの復号された信号は、次いで、残りの受信された信号から減じられる。残りの受信された信号は再び４ＱＡＭコンスタレーションのように見える。復号受信機は、次いで、ＣＢ２のビットによって定義される第２の改良ポイント１００５を復号することになる。復元されたＣＢ０〜ＣＢ２のビットのすべてを用いて、復号受信機は、受信された送信データを取得するためにトランスポートブロック（ＴＢ）をアセンブルし得る。
【００７５】
[0089]復号プロセスによって示されるように、復号の各レイヤにおいて、復号受信機は、復号された信号が受信された信号から１つずつ減じられるので、より少ない干渉を経験する。したがって、本開示に従って構成されたレイヤード復号の様々な態様では、各レイヤを復号する際に使用されるコーディングレートは異なる。たとえば、ベースコンスタレーションポイント１００１を最初に復号することは、経験される最高量の干渉を伴う、受信された信号からのＣＢ０のビットを復号することである。したがって、ベースコンスタレーションポイント１００１を復号するために使用されるコーディングレートはより低いコーディングレートである。減少する干渉を伴う、復号の各連続するレイヤにおいて、復号受信機はますます高い復号レートを使用し得る。これは、ベースコンスタレーションポイント１００１が最初に正確に復号されるとともに、より少ない干渉を経験する連続する改良ポイントを復号する際により効率的であることを保証することになる。
【００７６】
[0090]図１１は、本開示の一態様に従って構成された、無認可スペクトルを用いるＬＴＥ／ＬＴＥ−Ａ通信システム中のｅＮＢ１０５およびＵＥ１１５を示すブロック図である。ｅＮＢ１０５およびＵＥ１１５の図示されたハードウェアおよびソフトウェアは、本開示の様々な態様および実装形態を実装するための手段を与える。コントローラ／プロセッサ４４０の制御下で、ｅＮＢ１０５は、アンテナ４３４ａ−ｔを介して送信および受信される時間周波数送信ストリームを通して送信を送信および受信し得る。また、ＵＥ１１５は、コントローラ／プロセッサ４８０の制御下で、アンテナ４５２ａ−ｒを介して送信および受信される時間周波数送信ストリームを通して送信を受信および送信し得る。
【００７７】
[0091]例示的な一態様では、バースト的な無認可送信が、ＵＥ１１５がｅＮＢ１０５からの送信中のコードブロックを正常に受信することに干渉とき、ｅＮＢ１０５は、メモリ４４２に記憶されたＣＢ再送信再マッピング論理１１００の実行を通してコードブロック再送信再マッピングを使用し得る。ＵＥ１１５によって要求された再送信の回数に基づいて、ｅＮＢ１０５は、コントローラ／プロセッサ４４０の制御下で、ＣＢ再送信再マッピング論理１１００によって維持される異なる再マッピングシーケンスのうちの１つを選択し、ＣＢ再送信再マッピング論理１１００は、スケジューラ４４４、コーダ／デコーダ１１０１、および変調器／復調器４３２ａ−ｔを使用して、アンテナ４３４ａ−ｔを介してＵＥ１１５にコードブロックを再送信する。
【００７８】
[0092]代替態様では、ｅＮＢ１０５は、図６〜図８に示されたインターリーブ方式のうちの１つを使用してコードブロック送信を送信および再送信し得る。コントローラ／プロセッサ４４０による、メモリ４４２に記憶されたシンボルインターリーブ構成１１０２の実行は、図６〜図８に示されているように、送信シンボルまたはサブフレームのより多くにわたってコードブロックの被変調シンボルをインターリーブするための特定のインターリーブ方式を与える。
【００７９】
[0093]様々な態様では、ＵＥ１１５のための送信を準備するとき、ｅＮＢ１０５は、コントローラ／プロセッサ４４０の制御下で、送信のレイヤードコーディングにおいてコーダ／デコーダ１１０１を駆動するために、メモリ４４２に記憶されたレイヤードコーディング／復号論理１１０３を実行する。レイヤードコーディング／復号論理１１０３を実行することは、図１０Ａ〜図１０Ｃに関して説明したレイヤード符号化を実行する際にコーダ／デコーダ１１０１を制御する。固定サイズコンスタレーションを使用して、ｅＮＢ１０５は、送信のための符号化シンボルのためのベースコンスタレーションポイントとさらなる改良ポイントとを選択するために、複数のコードブロックからのビットを使用する。
【００８０】
[0094]ＵＥ１１５がアンテナ４５２ａ−ｒを介してｅＮＢ１０５から信号を受信したとき、コントローラ／プロセッサ４８０は、最初に、より低いコーディングレートでベースコンスタレーションポイントを復号することと、受信された信号から復号された信号を減ずることと、次いで、各連続する復号された信号が受信された信号から減じられることにより経験される減少する干渉のために、より高いコーディングレートで連続する改良コンスタレーションポイントを復号することとによって、逆方向レイヤード復号を実行するために、コーダ／デコーダ１１０５を制御するためにメモリ４８２中のレイヤードコーディング／復号論理１１０７を実行する。レイヤード固定サイズコンスタレーションにおいてベースコンスタレーションポイントと改良ポイントとを定義するコードブロックの各々からのビットのすべての後に、ＵＥ１１５は、ｅＮＢ１０５から受信されたデータを用いてトランスポートブロックをアセンブルし得る。
【００８１】
[0095]ＵＥ１１５は、ｅＮＢ１０５のためのデータと送信とを符号化する送信機としても働き得、その場合、ｅＮＢ１０５は、ＵＥ１１５からの送信を復号する受信機として働くであろう。ＵＥ１１５はまた、ＵＥ１１５が、コントローラ／プロセッサ４８０の制御下で、本明細書で説明するように符号化送信機機能を実行することを可能にする、シンボルインターリーブ構成１１０６とＣＢ再送信再マッピング論理１１０４とをメモリ４８２中に含む。
【００８２】
[0096]図１２Ａおよび図１２Ｂは、本開示の一態様を実装するために実行される例示的なブロックを示すブロック図である。ブロック１２００において、符号化送信機が、送信のための１つまたは複数のコードブロックに関する複数のビットを符号化する。符号化送信機は、受信機への送信中で情報を送る準備をしている。ブロック１２０１において、符号化送信機は、時間周波数送信ストリーム中の２つまたはそれ以上のシンボルにまたがって１つまたは複数のコードブロックの各々の複数のビットをインターリーブする。得られたインターリーブ構造は、各コードブロックのビットが送信ストリームのシンボルまたはサブフレームのより多くにわたって拡散されることを可能にする。ブロック１２０２において、符号化送信機は受信機に時間周波数送信ストリームを送信する。
【００８３】
[0097]受信機端で、ブロック１２０３において、復号受信機は送信機から時間周波数送信ストリームを受信する。復号受信機は、次いで、ブロック１２０４において、送信ストリームにわたってインターリーブされた１つまたは複数のコードブロックの各々の複数のビットをデインターリーブする。ブロック１２０５において、復号受信機は、１つまたは複数のコードブロックのビットを送信機からの情報の送信に復号する。コードブロックを復号した後に、受信機は、送信中の情報を取得するためにトランスポートブロックをアセンブルする。
【００８４】
[0098]図１３Ａおよび図１３Ｂは、本開示の一態様を実装するために実行される例示的なブロックを示すブロック図である。ブロック１３００において、符号化送信機が、受信機へのデータまたは情報の送信のための複数のコードワードを符号化する。ブロック１３０１において、送信機は、多くの異なるシーケンスの第１のコードブロック送信シーケンスに従って時間周波数送信ストリーム中で複数のコードブロックを送信する。受信機側で、ブロック１３０３において、復号受信機は送信機から時間周波数送信ストリームを受信する。しかしながら、ブロック１３０４において、受信機は、送信中に含められたコードブロックのすべてを復号することに失敗する。コードブロックのすべてを正常に復号することに失敗したことに応答して、ブロック１３０５において、受信機は送信機にＮＡＣＫを送信する。
【００８５】
[0099]送信機が、受信機がコードブロックのすべてを正常に復号することに失敗したことを示すＮＡＣＫを受信したとき、送信機は、ブロック１３０２において、必要とされた再送信の回数に従って送信機が選択した第２のコードブロック送信シーケンスを使用してコードブロックを再送信する。送信機は、送信機がコードブロックを何回再送信しなければならなかったかに基づいて、シーケンスを具体的に選択する。受信機において、ブロック１３０６において、異なるシーケンスに従って構成されたコードブロックを含む、再送信された送信信号を受信する。無認可バーストの干渉が、受信機がコードブロックのすべてを正常に受信することに失敗することを再び引き起こした場合、受信機は、前に正常に受信されていたコードブロックを含めて、受信機が、組み合わせることを通して送信からのコードブロックのすべてを現在受信したかどうかを確認し得る。受信機が、コードブロックの前に失敗した受信の組合せを通して、意図されたコードブロックのすべてを現在受信している場合、受信機は送信機にＡＣＫを送り得る。しかしながら、受信機が、意図されたコードブロックのすべてをまだ受信していない場合、別のＮＡＣＫが送られ、送信機に、コードブロックの異なる再マッピングシーケンスを使用してコードブロックを再び再送信させることになる。
【００８６】
[00100]図１４Ａおよび図１４Ｂは、本開示の一態様を実装するために実行される例示的なブロックを示すブロック図である。ブロック１４００において、符号化送信機が、送信の１つまたは複数のコードブロックからのビットの第１のセットを使用して固定サイズコンスタレーションにおけるベースコンスタレーションポイントを符号化することから符号化プロセスを開始する。ブロック１４０１において、送信機は、送信のための１つまたは複数のコードブロックからのビットの第２のセットを使用して、ベースコンスタレーションポイントの周りの第２の固定サイズコンスタレーションにおける改良ポイントを符号化する。ブロック１４０２において、送信機は、ベースコンスタレーションポイントと改良ポイントとを使用して被変調シンボルを生成し、次いで、ブロック１４０３において、時間周波数送信ストリーム中で少なくとも被変調シンボルを送信する。
【００８７】
[00101]復号受信機側で、ブロック１４０４において、受信機は、少なくとも被変調シンボルを含む時間周波数送信ストリームを受信する。受信機は、ブロック１４０５において、対応するコードブロックのビットの第１のセットを取得するために、固定サイズコンスタレーションを使用してベースコンスタレーションポイントを復号することから復号プロセスを開始する。ブロック１４０６において、受信機は、被変調シンボルを含む残りの受信された信号からベースコンスタレーションポイントを減ずる。受信機は、次いで、ブロック１４０７において、改良ポイントのための対応するコードブロックのビットの第２のセットを取得するために、ベースコンスタレーションポイントの周りの第２の固定サイズコンスタレーションを使用して改良ポイントを復号する。ブロック１４０８において、受信機は、ベースコンスタレーションおよび改良ポイントを復号することからのビットの復元されたセットを使用して、送信を決定するために、復号されたコードブロックをトランスポートブロックにアセンブルする。残りの受信された信号から復号された信号を減ずることにより、各連続する復号はより少ない干渉を経験することになるので、連続する復号プロセスごとに異なるコーディングレートが受信機によって使用され得る。この特徴を使用可能にするために、符号化送信機は、順序に応じて、異なるコーディングレートで各連続するコンスタレーションポイントまたは改良を符号化するであろう。したがって、符号化および復号は、符号化／復号レイヤに応じて、異なるコーディングレートで実行され得る。
【００８８】
[00102]本開示の様々な態様は、所与のコードブロックからのビットを時間周波数グリッドのより大きい部分にわたって分散させることによって、短いバースト的干渉に対するロバストネスおよび抵抗力を増加させる。また、レイヤード復号を提供する本開示の様々な態様は、他のｅＮＢからの干渉のより効率的な消去を可能にし得る。他のｅＮＢからの干渉を消去する際の課題のうちの１つは、干渉信号中で使用されるコンスタレーションを決定することである。提案するレイヤードコーディング方式では、受信機は、干渉物が固定サイズコンスタレーションからコーディングされると常に仮定し、それのベースコンスタレーションポイントを最初に復号し得る。ベース固定サイズコンスタレーション信号を消去することは、他のｅＮＢからの干渉を部分的に除去する。次に、さらなる干渉エネルギーが検出された場合、受信機は干渉コンスタレーションに対する改良を推定し、消去し得る。したがって、レイヤード復号はまた、他のｅＮＢからの干渉消去を改善することを助け得る。
【００８９】
[00103]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９０】
[00104]図１２Ａ〜図１４Ｂの機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００９１】
[00105]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。当業者はまた、本明細書で説明した構成要素、方法、または相互作用の順序あるいは組合せは例にすぎないこと、および本開示の様々な態様の構成要素、方法、または相互作用は、本明細書で例示し、説明したもの以外の方法で組み合わせられるかまたは実行され得ることを容易に認識されよう。
【００９２】
[00106]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９３】
[00107]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００９４】
[00108]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００９５】
[00109]特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００９６】
[00110]本開示についての以上の説明は、いかなる当業者も本開示を作成または使用することができるようにするために提供したものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2020184778.tif 000003
【図２Ａ】
2020184778.tif 000004
【図２Ｂ】
2020184778.tif 000005
【図３】
2020184778.tif 000006
【図４】
2020184778.tif 000007
【図５】
2020184778.tif 000008
【図６】
2020184778.tif 000009
【図７】
2020184778.tif 000010
【図８】
2020184778.tif 000011
【図９】
2020184778.tif 000012
【図１０Ａ】
2020184778.tif 000013
【図１０Ｂ】
2020184778.tif 000014
【図１０Ｃ】
2020184778.tif 000015
【図１１】
2020184778.tif 000016
【図１２Ａ】
2020184778.tif 000017
【図１２Ｂ】
2020184778.tif 000018
【図１３Ａ】
2020184778.tif 000019
【図１３Ｂ】
2020184778.tif 000020
【図１４Ａ】
2020184778.tif 000021
【図１４Ｂ】
2020184778.tif 000022
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
送信機において、送信の複数のコードブロックに複数のビットを符号化することと、
前記送信機によって、時間周波数送信ストリーム中の２つまたはそれ以上のシンボルにまたがって前記コードブロックの各々の前記複数のビットをインターリーブすることと、
前記送信機によって、前記コードブロックのうちの１つからのビットの第１のセットを使用して固定サイズコンスタレーションにおけるベースコンスタレーションポイントを符号化することと、
前記送信機によって、前記コードブロックのうちの別の１つからのビットの第２のセットを使用して前記ベースコンスタレーションポイントの周りの第２の固定サイズコンスタレーションにおける改良ポイントを符号化することと、
前記送信機によって、前記ベースコンスタレーションポイントおよび前記改良ポイントに基づいて被変調シンボルを生成することと、
前記送信機によって受信機に前記時間周波数送信ストリームを送信することと、
を備える、ワイヤレス通信の方法。
【請求項２】
前記インターリーブすることは、
前記時間周波数送信ストリームのサブフレームの第１の周波数での複数のシンボルの最初のシンボルから前記第１の周波数での前記複数のシンボルの最後のシンボルまで前記コードブロックの各々の前記複数のビットを時間的において連続的に構成することと、
前記サブフレームの次の周波数での前記複数のシンボルの前記最初のシンボルから前記サブフレームの前記次の周波数での前記複数のシンボルの前記最後のシンボルまで前記コードブロックの各々に関する前記複数のビットの残りのビットを時間において連続的に構成することと、
前記複数のビットのすべてが構成されるまで、前記サブフレームの前記複数の周波数の各々に関して前記複数のシンボルの前記最初のシンボルから前記最後のシンボルまで前記連続的に構成することを続けることと、
を含む、請求項１に記載の方法。
【請求項３】
前記インターリーブすることは、
前記時間周波数送信ストリームのサブフレームの複数のシンボルにまたがって前記コードブロックの各々の前記複数のビットを時間および周波数においてインターリーブすることを含み、ここにおいて、前記コードブロックの各々の前記複数のビットが、前記サブフレームの前記複数のシンボルのうちの前記２つまたはそれ以上のシンボルにまたがって、および前記サブフレームの複数の周波数の２つまたはそれ以上の周波数にまたがって構成される、
請求項１に記載の方法。
【請求項４】
前記時間周波数送信ストリームが、複数のコードブロック送信シーケンスの第１のコードブロック送信シーケンスに従って送信される、請求項１に記載の方法。
【請求項５】
受信機が前記時間周波数送信ストリームを正常に受信することに失敗したことに応答して、前記送信機によって、前記複数のコードブロック送信シーケンスの第２のコードブロック送信シーケンスで前記時間周波数送信ストリームを再送信することをさらに含み、ここにおいて、前記第２のコードブロック送信シーケンスは、前記受信機が前記時間周波数送信ストリームを正常に受信することに失敗した回数に従って前記送信機によって選択される、
請求項４に記載の方法。
【請求項６】
受信機で、送信機から時間周波数送信ストリームを受信することと、
前記受信機によって固定サイズコンスタレーションを使用して、複数のコードブロックのうちの１つのコードブロックのビットの第１のセットによって定義されるベースコンスタレーションポイントを復号することと、
前記受信機によって、前記少なくとも１つの被変調シンボルから前記ベースコンスタレーションポイントを減ずることと、
前記受信機によって前記ベースコンスタレーションポイントの周りの第２の固定サイズコンスタレーションを使用して、前記複数のコードブロックのうちの別の１つのコードブロックのビットの第２のセットによって定義される改良ポイントを復号することと、
前記受信機によって、前記時間周波数送信ストリーム中の２つまたはそれ以上のシンボルにまたがってインターリーブされた前記複数のコードブロックの各々の複数のビットをデインターリーブすることと、
前記受信機で、前記複数のコードブロックの前記複数のビットを前記送信機からの送信に復号することと、
を備える、ワイヤレス通信の方法。
【請求項７】
前記デインターリーブすることは、
前記時間周波数送信ストリームのサブフレームの第１の周波数での複数のシンボルの最初のシンボルから前記第１の周波数での前記複数のシンボルの最後のシンボルまで前記複数のコードブロックの各々の前記複数のビットを時間において連続的に選択することと、
前記サブフレームの次の周波数での前記複数のシンボルの前記最初のシンボルから前記サブフレームの前記次の周波数での前記複数のシンボルの前記最後のシンボルまで前記複数のコードブロックの各々に関する前記複数のビットの残りのビットを時間において連続的に選択することと、
前記複数のビットのすべてが選択されるまで、前記サブフレームの前記複数の周波数の各々に関して前記複数のシンボルの前記最初のシンボルから前記最後のシンボルまで前記連続的に選択することを続けることと、
を含む、請求項６に記載の方法。
【請求項８】
前記デインターリーブすることは、
前記時間周波数送信ストリームのサブフレームの複数のシンボルにまたがって前記複数のコードブロックの各々の前記複数のビットを時間および周波数においてデインターリーブすることを含み、ここにおいて、前記複数のコードブロックの各々の前記複数のビットが、前記サブフレームの前記複数のシンボルのうちの前記２つまたはそれ以上にわたるシンボル中から、および前記サブフレームの複数の周波数の２つまたはそれ以上にわたる周波数中から選択される、
請求項６に記載の方法。
【請求項９】
前記受信機で、前記時間周波数送信ストリーム中の第１のシーケンス中に含まれる送信の複数のコードブロックよりも少ないコードブロックを復号することと、
前記複数のコードブロックよりも少ないコードブロックを復号することに応答して、前記受信機によって前記送信機に否定応答を送信することと、
前記受信機で、前記複数のコードブロックを含む前記送信機からの前記時間周波数送信ストリームの再送信を受信すること、ここにおいて、前記再送信中の前記複数のコードブロックが、前記第１のシーケンスとは異なる第２のシーケンスで構成される、と、
をさらに含む、請求項６に記載の方法。
【請求項１０】
前記受信機で、前記再送信中に含まれる前記複数のコードブロックよりも少ないコードブロックを復号することと、
前記再送信中の前記複数のコードブロックよりも少ないコードブロックを復号することに応答して、および、前記送信中の復号された前記複数のコードブロックの１つまたは複数と、前記再送信中の復号された前記複数のコードブロックの１つまたは複数とが前記複数のコードブロックよりも少ないとき、前記受信機によって前記送信機に別の否定応答を送信することと、
をさらに含む、請求項９に記載の方法。
【請求項１１】
ワイヤレス通信のために構成された装置であって、
送信機で、送信の複数のコードブロックに複数のビットを符号化するための手段と、
前記送信機によって、時間周波数送信ストリーム中の２つまたはそれ以上のシンボルにまたがって前記コードブロックの各々の前記複数のビットをインターリーブするための手段と、
前記送信機によって、前記コードブロックのうちの１つからのビットの第１のセットを使用して固定サイズコンスタレーションにおけるベースコンスタレーションポイントを符号化するための手段と、
前記送信機によって、前記コードブロックのうちの別の１つからのビットの第２のセットを使用して前記ベースコンスタレーションポイントの周りの第２の固定サイズコンスタレーションにおける改良ポイントを符号化するための手段と、
前記送信機によって、前記ベースコンスタレーションポイントおよび前記改良ポイントに基づいて被変調シンボルを生成するための手段と、ここにおいて、前記時間周波数送信ストリームは、前記被変調シンボルを含み、
前記送信機によって受信機に前記時間周波数送信ストリームを送信するための手段と、を備える、装置。
【請求項１２】
符号化するための前記手段、インターリーブするための前記手段、および送信するための前記手段は、少なくとも１つのプロセッサと前記プロセッサに結合されたメモリとを備える、請求項１１に記載の装置。
【請求項１３】
ワイヤレス通信のために構成された装置であって、
受信機で、送信機から時間周波数送信ストリームを受信するための手段と、
前記受信機によって固定サイズコンスタレーションを使用して、複数のコードブロックのうちの１つのコードブロックのビットの第１のセットによって定義されるベースコンスタレーションポイントを復号するための手段と、
前記受信機によって、前記少なくとも１つの被変調シンボルから前記ベースコンスタレーションポイントを減ずるための手段と、
前記受信機によって前記ベースコンスタレーションポイントの周りの第２の固定サイズコンスタレーションを使用して、前記複数のコードブロックのうちの別の１つのコードブロックのビットの第２のセットによって定義される改良ポイントを復号するための手段と、
前記受信機によって、前記時間周波数送信ストリーム中の２つまたはそれ以上のシンボルにまたがってインターリーブされた前記複数のコードブロックの各々の複数のビットをデインターリーブするための手段と、
前記受信機で、前記複数のコードブロックの前記複数のビットを前記送信機からの送信に復号するための手段と、
を備える、装置。
【請求項１４】
受信するための前記手段、デインターリーブするための前記手段、および復号するための前記手段は、少なくとも１つのプロセッサと前記プロセッサに結合されたメモリとを備える、請求項１３に記載の装置。
【請求項１５】
請求項１乃至５または請求項６乃至１０のうちの一項の前記方法のすべてのステップを実施するためにコンピュータが実行可能であるプログラム命令を備えるコンピュータプログラム。
【手続補正２】
【補正対象書類名】明細書
【補正対象項目名】００９６
【補正方法】変更
【補正の内容】
【００９６】
[00110]本開示についての以上の説明は、いかなる当業者も本開示を作成または使用することができるようにするために提供したものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願の出願当初の特許請求の範囲に記載された発明を付記する。
［Ｃ１］
送信機において、送信の１つまたは複数のコードブロックに関する複数のビットを符号化することと、
前記送信機によって、時間周波数送信ストリーム中の２つまたはそれ以上のシンボルにまたがって前記１つまたは複数のコードブロックの各々の前記複数のビットをインターリーブすることと、
前記送信機によって受信機に前記時間周波数送信ストリームを送信することと、
を備える、ワイヤレス通信の方法。
［Ｃ２］
前記インターリーブすることは、
前記時間周波数送信ストリームのサブフレームの第１の周波数での複数のシンボルの最初のシンボルから前記第１の周波数での前記複数のシンボルの最後のシンボルまで前記１つまたは複数のコードブロックの各々の前記複数のビットを時間的において連続的に構成することと、
前記サブフレームの次の周波数での前記複数のシンボルの前記第１のシンボルから前記サブフレームの前記次の周波数での前記複数のシンボルの前記最後のシンボルまで前記１つまたは複数のコードブロックの各々に関する前記複数のビットの残りのビットを時間において連続的に構成することと、
前記複数のビットのすべてが構成されるまで、前記サブフレームの前記複数の周波数の各々に関して前記複数のシンボルの前記最初のシンボルから前記最後のシンボルまで前記連続的に構成することを続けることと、
を含む、Ｃ１に記載の方法。
［Ｃ３］
前記インターリーブすることは、
前記時間周波数送信ストリームのサブフレームの複数のシンボルにまたがって前記１つまたは複数のコードブロックの各々の前記複数のビットを時間および周波数においてインターリーブすることを含み、ここにおいて、前記１つまたは複数のコードブロックの各々の前記複数のビットが、前記サブフレームの前記複数のシンボルのうちの前記２つまたはそれ以上のシンボルにまたがって、および前記サブフレームの複数の周波数の２つまたはそれ以上の周波数にまたがって構成される、
Ｃ１に記載の方法。
［Ｃ４］
前記インターリーブすることが、
前記時間周波数送信ストリームの２つまたはそれ以上のサブフレームにまたがって前記１つまたは複数のコードブロックの各々の前記複数のビットをインターリーブすることを含む、Ｃ１に記載の方法。
［Ｃ５］
前記時間周波数送信ストリームが、複数のコードブロック送信シーケンスの第１のコードブロック送信シーケンスに従って送信される、Ｃ１に記載の方法。
［Ｃ６］
受信機が前記時間周波数送信ストリームを正常に受信することに失敗したことに応答して、前記送信機によって、前記複数のコードブロック送信シーケンスの第２のコードブロック送信シーケンスで前記時間周波数送信ストリームを再送信することをさらに含み、ここにおいて、前記第２のコードブロック送信シーケンスは、前記受信機が前記時間周波数送信ストリームを正常に受信することに失敗した回数に従って前記送信機によって選択される、
Ｃ５に記載の方法。
［Ｃ７］
受信機で、送信機から時間周波数送信ストリームを受信することと、
前記受信機によって、前記時間周波数送信ストリーム中の２つまたはそれ以上のシンボルにまたがってインターリーブされた１つまたは複数のコードブロックの各々の複数のビットをデインターリーブすることと、
前記受信機で、前記１つまたは複数のコードブロックの前記複数のビットを前記送信機からの送信に復号することと、
を備える、ワイヤレス通信の方法。
［Ｃ８］
前記デインターリーブすることは、
前記時間周波数送信ストリームのサブフレームの第１の周波数での複数のシンボルの最初のシンボルから前記第１の周波数での前記複数のシンボルの最後のシンボルまで前記１つまたは複数のコードブロックの各々の前記複数のビットを時間において連続的に選択することと、
前記サブフレームの次の周波数での前記複数のシンボルの前記第１のシンボルから前記サブフレームの前記次の周波数での前記複数のシンボルの前記最後のシンボルまで前記１つまたは複数のコードブロックの各々に関する前記複数のビットの残りのビットを時間において連続的に選択することと、
前記複数のビットのすべてが選択されるまで、前記サブフレームの前記複数の周波数の各々に関して前記複数のシンボルの前記最初のシンボルから前記最後のシンボルまで前記連続的に選択することを続けることと、
を含む、Ｃ７に記載の方法。
［Ｃ９］
前記デインターリーブすることは、
前記時間周波数送信ストリームのサブフレームの複数のシンボルにまたがって前記１つまたは複数のコードブロックの各々の前記複数のビットを時間および周波数においてデインターリーブすることを含み、ここにおいて、前記１つまたは複数のコードブロックの各々の前記複数のビットが、前記サブフレームの前記複数のシンボルのうちの前記２つまたはそれ以上にわたるシンボル中から、および前記サブフレームの複数の周波数の２つまたはそれ以上にわたる周波数中から選択される、
Ｃ７に記載の方法。
［Ｃ１０］
前記受信機で、前記時間周波数送信ストリーム中の第１のシーケンス中に含まれる送信の複数のコードブロックよりも少ないコードブロックを復号することと、
前記複数のコードブロックよりも少ないコードブロックを復号することに応答して、前記受信機によって前記送信機に否定応答を送信することと、
前記受信機で、前記複数のコードブロックを含む前記送信機からの前記時間周波数送信ストリームの再送信を受信すること、ここにおいて、前記再送信中の前記複数のコードブロックが、前記第１のシーケンスとは異なる第２のシーケンスで構成される、と、
をさらに含む、Ｃ７に記載の方法。
［Ｃ１１］
前記受信機で、前記再送信中に含まれる前記複数のコードブロックよりも少ないコードブロックを復号することと、
前記再送信中の前記複数のコードブロックよりも少ないコードブロックを復号することに応答して、および、前記送信中の復号された前記複数のコードブロックの１つまたは複数と、前記再送信中の復号された前記複数のコードブロックの１つまたは複数とが前記複数のコードブロックよりも少ないとき、前記受信機によって前記送信機に別の否定応答を送信することと、
をさらに含む、Ｃ１０に記載の方法。
［Ｃ１２］
ワイヤレス通信のために構成された装置であって、
送信機で、送信の１つまたは複数のコードブロックに関する複数のビットを符号化するための手段と、
前記送信機によって、時間周波数送信ストリーム中の２つまたはそれ以上のシンボルにまたがって前記１つまたは複数のコードブロックの各々の前記複数のビットをインターリーブするための手段と、
前記送信機によって受信機に前記時間周波数送信ストリームを送信するための手段と、を備える、装置。
［Ｃ１３］
インターリーブするための前記手段は、
前記時間周波数送信ストリームのサブフレームの第１の周波数での複数のシンボルの最初のシンボルから前記第１の周波数での前記複数のシンボルの最後のシンボルまで前記１つまたは複数のコードブロックの各々の前記複数のビットを時間において連続的に構成するための手段と、
前記サブフレームの次の周波数での前記複数のシンボルのうちの前記第１のシンボルから前記サブフレームの前記次の周波数での前記複数のシンボルのうちの前記最後のシンボルまで前記１つまたは複数のコードブロックの各々に関する前記複数のビットの残りのビットを時間において連続的に構成するための手段と、
前記複数のビットのすべてが構成されるまで、前記サブフレームの前記複数の周波数の各々に関して前記複数のシンボルの前記最初のシンボルから前記最後のシンボルまで連続的に構成するための前記手段を続けるための手段と、
を含む、Ｃ１２に記載の装置。
［Ｃ１４］
インターリーブするための前記手段は、
前記時間周波数送信ストリームのサブフレームの複数のシンボルにまたがって前記１つまたは複数のコードブロックの各々の前記複数のビットを時間および周波数においてインターリーブするための手段を含み、ここにおいて、前記１つまたは複数のコードブロックの各々の前記複数のビットが、前記サブフレームの前記複数のシンボルのうちの前記２つまたはそれ以上のシンボルにまたがって、および前記サブフレームの複数の周波数の２つまたはそれ以上の周波数にまたがって構成される、
Ｃ１２に記載の装置。
［Ｃ１５］
インターリーブするための前記手段が、
前記時間周波数送信ストリームの２つまたはそれ以上のサブフレームにまたがって前記１つまたは複数のコードブロックの各々の前記複数のビットをインターリーブするための手段
を含む、Ｃ１２に記載の装置。
［Ｃ１６］
前記時間周波数送信ストリームが、複数のコードブロック送信シーケンスの第１のコードブロック送信シーケンスに従って送信される、Ｃ１２に記載の装置。
［Ｃ１７］
受信機が前記時間周波数送信ストリームを正常に受信することに失敗したことに応答して、前記送信機によって、前記複数のコードブロック送信シーケンスの第２のコードブロック送信シーケンスで前記時間周波数送信ストリームを再送信するための手段をさらに含み、ここにおいて、前記第２のコードブロック送信シーケンスは、前記受信機が前記時間周波数送信ストリームを正常に受信することに失敗した回数に従って前記送信機によって選択される、
Ｃ１６に記載の装置。
［Ｃ１８］
プログラムコードを記録した非一時的コンピュータ可読媒体であって、前記プログラムコードは、
送信機において、送信の１つまたは複数のコードブロックに関する複数のビットを符号化することをコンピュータに行わせるためのプログラムコードと、
前記送信機によって、時間周波数送信ストリーム中の２つまたはそれ以上のシンボルにまたがって前記１つまたは複数のコードブロックの各々の前記複数のビットをインターリーブすることを前記コンピュータに行わせるためのプログラムコードと、
前記送信機によって受信機に前記時間周波数送信ストリームを送信することを前記コンピュータに行わせるためのプログラムコードと、
を備える、非一時的コンピュータ可読媒体。
［Ｃ１９］
インターリーブすることを前記コンピュータに行わせるための前記プログラムコードは、
前記時間周波数送信ストリームのサブフレームの第１の周波数での複数のシンボルの最初のシンボルから前記第１の周波数での前記複数のシンボルの最後のシンボルまで前記１つまたは複数のコードブロックの各々の前記複数のビットを時間において連続的に構成することを前記コンピュータに行わせるためのプログラムコードと、
前記サブフレームの次の周波数での前記複数のシンボルの前記第１のシンボルから前記サブフレームの前記次の周波数での前記複数のシンボルの前記最後のシンボルまで前記１つまたは複数のコードブロックの各々に関する前記複数のビットの残りのビットを時間において連続的に構成することを前記コンピュータに行わせるためのプログラムコードと、  前記複数のビットのすべてが構成されるまで、前記サブフレームの前記複数の周波数の各々に関して前記複数のシンボルの前記最初のシンボルから前記最後のシンボルまで連続的に構成することを前記コンピュータに行わせるための前記プログラムコードを実行することを前記コンピュータに続けさせるためのプログラムコードと、
を含む、Ｃ１８に記載の非一時的コンピュータ可読媒体。
［Ｃ２０］
インターリーブすることを前記コンピュータに行わせるための前記プログラムコードは、
前記時間周波数送信ストリームのサブフレームの複数のシンボルにまたがって前記１つまたは複数のコードブロックの各々の前記複数のビットを時間および周波数においてインターリーブすることを前記コンピュータに行わせるためのプログラムコードを含み、ここにおいて、前記１つまたは複数のコードブロックの各々の前記複数のビットが、前記サブフレームの前記複数のシンボルの前記２つまたはそれ以上のシンボルにまたがって、および前記サブフレームの複数の周波数の２つまたはそれ以上の周波数にわたって構成される、
Ｃ１８に記載の非一時的コンピュータ可読媒体。
［Ｃ２１］
インターリーブすることを前記コンピュータに行わせるための前記プログラムコードが、
前記時間周波数送信ストリームの２つまたはそれ以上のサブフレームにまたがって前記１つまたは複数のコードブロックの各々の前記複数のビットをインターリーブすることを前記コンピュータに行わせるためのプログラムコード
を含む、Ｃ１８に記載の非一時的コンピュータ可読媒体。
［Ｃ２２］
前記時間周波数送信ストリームが、複数のコードブロック送信シーケンスの第１のコードブロック送信シーケンスに従って送信される、Ｃ１８に記載の非一時的コンピュータ可読媒体。
［Ｃ２３］
受信機が前記時間周波数送信ストリームを正常に受信することに失敗したことに応答して、前記送信機によって、前記複数のコードブロック送信シーケンスの第２のコードブロック送信シーケンスで前記時間周波数送信ストリームを再送信することを前記コンピュータに行わせるためのプログラムコードをさらに含み、ここにおいて、前記第２のコードブロック送信シーケンスは、前記受信機が前記時間周波数送信ストリームを正常に受信することに失敗した回数に従って前記送信機によって選択される、
Ｃ２２に記載の非一時的コンピュータ可読媒体。
【外国語明細書】
2020184778000001.pdf